(57)【要約】【課題】製造から消費者の使用後の評価までを一貫して管理しようとする情報収集システムで、顧客囲い込みに１番必要な使用後の商品単品にまつわる情報を収集する際に使用する商品容器に二次元コードを添付する場合、二次元コードが商品の未購入者に不正に読み取られる事無く、容器を開封して後にしか読み取ることができず、しかも隠蔽と開示が自在にできる簡便で安価な構造の容器が求められている。【解決手段】商品を収納する容器又は容器蓋の全体又は一部を二次元コードと合せてタンパーエビデンス機構で封緘した。タンパーエビデンス機構の開封方向に力を加えると封緘部材を不可逆的形状に破断し改変や開封した証拠が残るようにし、合せて、二次元コードの隠蔽と開示が自在な構造としたので二次元コードが商品の未購入者に不正に読み取られることのない容器ができ、課題が解決した。【選択図】図１
2011184080.tif 000002
【特許請求の範囲】
【請求項１】
物品を収納する容器の容器蓋１であって、
容器蓋の上に情報本体４４を印字した印字部材と、
前記容器蓋１の全体又は一部を被覆し、その被覆を剥がしたとき改変や開封した証拠を残すタンパーエビデンス機構１２と、
該タンパーエビデンス機構が前記容器蓋１の全体又は一部を被覆している時は、情報本体４４の一部又は全部がタンパーエビデンス機構に隠されている為、携帯端末２０は情報本体４４を読み取ることができず、
タンパーエビデンス機構による被覆が剥がされた時は、情報本体４４の全部が現れ、携帯端末２０により情報本体４４の全部を読み取ることが可能となり、
携帯端末２０が情報本体４４の情報を送信できるようにした
ことを特徴とする容器蓋。
【請求項２】
前記情報本体４４は、二次元コード７と、インデックス５からなり、
二次元コード７については、前記タンパーエビデンス機構が前記容器蓋１の全体又は一部を被覆している時は、携帯端末２０は二次元コード７を読み取ることができず、
タンパーエビデンス機構による被覆が剥がされた時は、二次元コード７が現れ、携帯端末２０により二次元コード７の全部を読み取ることが可能となり、
インデックス５については、タンパーエビデンス機構が該容器蓋１を被覆しているか否かに拘わらず、携帯端末２０により常時読み取りができ、
該インデックス５は前記二次元コード７にエンコードされている情報を解読するキー情報を含み、
携帯端末２０が情報本体４４の情報を送信できるようにした、
ことを特徴とする請求項１記載の容器蓋。
【請求項３】
物品を収納する容器の容器蓋１であって、
容器蓋の内面上側に印字部材３を装填し、
当該、印字部材３は、表にインデックス５、裏に二次元コード７を備え
表を容器蓋の上方になるように配置し、
容器蓋１の上面のインデックス５に相当する箇所を透明にすることにより、インデックス５を携帯端末２０でも常時読み取りができ、
タンパーエビデンス機構による被覆を剥したとき、
携帯端末２０で容器蓋の裏にある二次元コード７を読み取り、情報本体４４の情報を送信できるようにしたことを特徴とする容器蓋。
【請求項４】
請求項１から請求項３の何れかの一つの容器蓋１であって、
タンパーエビデンス機構による容器蓋１の被覆が剥がされたときは、二次元コード７があらわれ、
携帯端末２０は、二次元コード７を読み取り、読み取った二次元コード７に基づき、サーバコンピュータ５５に接続し、
サーバコンピュータ５５からのアンケート設問を受信し、その回答を返送し、
サーバコンピュータ５５は、アンケートの設問を生成して、携帯端末２０に送信し、
携帯端末２０からの回答を受信し、その受信した時刻とアンケートの回答とを
関連付けてデータベースに記録することによりアンケートの収集を行うことを特徴とする
アンケートシステム。
【発明の詳細な説明】
【技術分野】
【０００１】
本発明は、容器蓋に関するものである。
【背景技術】
【０００２】
メーカは、製品企画、製造、入出荷の管理、販売、クレーム処理などの製造から消費までの一貫した製品単品の情報管理システムを求めている。
【０００３】
その上に、次の生産を結び付けたいと強く願っている。
【０００４】
情報収集の対象として流通の最終段階である消費者の当該製品に関する評価を含む消費者情報を収集することが重要性を増してきた。
【０００５】
しかし、そのような製造から消費までの一貫した製品単品の情報収集システムは無く、その情報システムを有効に機能させる方法も持っていない。
【０００６】
近年、商品の販売促進企画の為に、懸賞応募用のシール等を容器胴に添付し、それらを集めて郵送することで特典を受けられる販売促進策がとられている。
【０００７】
また、シールにインターネットのＵＲＬや容器の識別番号を記載し、それを携帯端末やコンピュータに入力し、送信して後、交信して販売促進に結びつけた販売促進策としての利用方法も登場してきた。
【０００８】
更に進んで、ＵＲＬの入力を不用とする二次元コード記載のシールを容器側面に貼って、販売促進企画に利用した例も始まっている。
【０００９】
更に進めて、購入者の携帯端末と製品メーカのサーバ間で情報交換ができるシステムの構築が顧客の囲い込み戦略として有効である、と考えられ始めている。
【００１０】
二次元コードの利用が販売促進戦略の重要な素材や技術の一つである、と認められ始めてきた。
【００１１】
紙に二次元コードを表示して容器に添付し消費者に読み取らせて送信させる方法は、廉価であり、携帯端末を利用すれば、手軽に購入者と、購入した物品と、メーカのサーバとをインターネットを介して接続できる。それは相互に情報交換のできるシステムを創るときの重要な技術要素である。
【００１２】
二次元コードが提供する機能は、購入者の携帯端末と製品メーカのサーバとの間を手軽に結びつける情報交換機能である、と考えることもできる。
【００１３】
更に、もう一つ、その要素技術が提供するものは、「単なる情報交換の機能」だけでなく、携帯端末が二次元コードを読取った結果に基づきサーバに接続する動作を記録する事や、接続後の交信の記録をとることで、携帯端末向けに様々なサービスを展開できることである。
【００１４】
これらのサービスを受ける権利をデータベース等に記録しておきネットワークを通じてデータにアクセス可能なシステムを構築することにより、二次元コードを権利の受け渡しのための道具として利用することも可能である、と考えることもできる。
【００１５】
その為に、二次元コードにエンコードされている使用済の情報（識別番号を含む）から他のまだ販売されていない商品の未使用（未開示）の二次元コード（識別番号を含む）を推測されたり、利用されてはならない。
【００１６】
二次元コードにエンコードされている情報とは、ＵＲＬを始めとし、添付される物品の型番やシリアルな製造番号や製造年月日や、生産管理や販売管理に必要な管理番号や機台番号や工場番号、ＬＯＴ管理に必要なＬＯＴ番号や管理する目的によって設定される管理コードや、二次元コードそのものの識別番号や、任意のシリアル番号や、メーカや関係者が必要とすることで組み合わされ設定される情報を含めて言う。
【００１７】
これらは、単一で表示されることも、複数が組み合わされて用いられる場合もある。また、これらは、その情報の一部でもって、二次元コードにエンコードされている情報全体を解読できる構造をシステム全体でもって構築することもできる。
【００１８】
二次元コードにエンコードされている情報は、多様な用途を含んでいるために、二次元コードの識別番号を暗号化したり、二次元コードを不可視化したりする必要性が出てくる。但し、暗号化することによってエンコードされる情報の冗長度は増加する。
【００１９】
二次元コードに暗号化を含めたセキュリティー管理を施せば、容器はアクセスの鍵となりアクセス履歴の証拠ともなる。
【００２０】
本発明の容器蓋は不正防止機能付の容器蓋でありながら単品管理機能を有する。そうして、携帯端末が二次元コードを読取った結果に基づきサーバに接続し、その後の交信動作を許可したり不許可にしたり、携帯端末向けに様々なサービスを提供するキーになる、ことが可能である、と考えることもできる。
【００２１】
販売促進企画で提供される場合を例にすれば、携帯端末が二次元コードを読取った結果に基づきサーバに接続する動作を記録することで、携帯端末を自動的な個人認証のツールとし、様々な信用供与サービスを展開することも可能である。
【００２２】
これらのサービスを受ける権利を長期間管理することで顧客の囲い込みに必要なデータの蓄積が可能となり、従来に無かった顧客管理サービスが構築できる。
【００２３】
二次元コードに与えられた機能は、二次元コードを読み取り、送信することにより、二次元コードにエンコードされた情報及び利用条件及びサーバに設定されたプログラム及びプログラムに設定された条件によって、消費者とメーカの間で了解される企画として、オマケ、抽選券、引換券、ポイントサービス券、利用回数別サービス交換券であれ、これらは全て、ある権利の提供とその義務の引き受けや利用に付随した権利の交換機能であると、考えることもできる。
【００２４】
つまり、蓋を開けて、印字場Ｂ６記載の二次元コードを読み取ることは、名称こそ違え、形を変えながら、メーカが１本１本単位の容器に託して、消費者に前記のような色々な形で与えた企画の権利を、携帯端末で二次元コードを読み取り、二次元コードにエンコードされた情報に基づき、サーバのデータベースと交信することで、更新時点の権利行使可能な内容の範囲を照合できるという形をとり、あたかも、店頭で契約書を用いて権利を明確化していくことに類する意味がある、と考えることもできる。
【００２５】
だから、二次元コードを利用するシステムでは、二次元コードの利用可能性の検証や有効性の確認や重複利用の排除やアクセスの制限（回数や接続時間の制限を含む）やアクセスの形態の制限を行う。又、読み取る携帯端末にも同じく、端末の使用者の特定も含む携帯端末の有効性の確認や重複利用の排除やアクセスの制限（回数や接続時間の制限を含む）やアクセスの形態の制限を行う。
【００２６】
更に、二次元コードにエンコードされている「二次元コードを一意に識別する識別番号」と「携帯端末を一意に識別する識別番号」などを、サーバで管理されている情報と関連付けて管理する必要性が生じるのである。
【００２７】
これは、通常の商習慣における取引要件の管理と同じ趣旨の行為である。それ故に、まず、第一に、二次元コードの不正使用を防止できなければならない。
【００２８】
そうでなければ、二次元コードを色々な形の企画に採用したメーカの信用が傷つき、販売促進効果が半減するだけでなく、本来の業務や信用に支障が生じ、消費者の不信が生じる。
【００２９】
つまり、製品の梱包や収納の容器に添付され、アクセスされる二次元コードが備えるべき必要条件は
１）購買者だけがアクセスできる、不正使用防止機能に守られている。
２）購入した後でしか二次元コードにアクセスできない。
３）利用可能性の検証や有効性の確認や重複利用の排除やアクセスの制限など利用者の権利の把握とその制限機能を持っている。
４）前記に求められる機能を応用しての容器の単品管理ができるだけの情報量がエンコードできることが求められる。
５）印字コストが安いことが求められる。
６）携帯端末に読み取りやすい表示サイズが求められる。
７）携帯端末に読み取りやすい印字密度が求められる。
８）印字機にとって実用的な印字速度が確保される二次元コードの仕様でなくてはならない。
【００３０】
商品の容器に二次元コードを表示する場合は、ラベルを用いて容器胴に貼るのが一般的なものとして知られている。
【００３１】
しかし、容器胴に二次元コードが添付された製品は、購入せずとも容器胴に添付されたラベルを剥がして読み取ることが出来、不正利用を防止する点で問題があった。また、滅失、毀損、汚損、変形、二次元コードを明示する素材の劣化などなどで正常に読み取れない問題もあった。
【００３２】
周知のように、容器等に二次元コードを添付し、購入者の購入後の反応を収集するアンケートシステムは種々知られている。
【００３３】
特開２００６−５８７６７では、２層の基材が剥離可能に積層され、上層基材を剥離し下層基材表面の二次元コードを携帯端末によって読み取るラベルを容器胴に添付することが記述されている。しかし、上層基材を剥がすことは容易であり、下層基材ごと剥ぎ取ることも容易である。未購入者でも二次元コードを読み取ることが出来る欠陥がある。
【００３４】
特願２００８−１３４０２０号は飲料缶においてプルタブを使用した二次元コードの不正防止機能がのべられている。前記特願はプルタブを備えた飲料缶以外についての言及が無い。
【００３５】
特開２００９−１８８４１は、熱可塑性フィルムによる情報コードの変形防止に付いて記述されているが、熱可塑性フィルムによるタンパーエビデンス機能を構成する記述は無い。
【００３６】
特開２００６−１０７０７５は、当たり外れ等の籤情報を格納した二次元コードを付したボトル容器のキャップに関して記載されている。しかし、その効果は本発明と異なる。
【００３７】
特開２００６−１８２３５２は、容器の蓋の天面に情報コードを記載しているが、本発明と構成が違い、その効果は、情報コードを読み取り易く、汚れにくく、容器やラベルのデザインに影響を与えない目的であって、本発明と効果が異なる。
【００３８】
特開２００７−２４６１２５は、構成とその効果が異なる。
【先行技術文献】
【特許文献】
【００３９】
【特許文献１】特開２００６−５８７６７号公報
【特許文献２】特願２００８−１３４０２０号公報
【特許文献３】特開２００９−１８８４１号公報
【特許文献４】特開２００６−１０７０７５号公報
【特許文献５】特開２００６−１８２３５２号公報
【特許文献６】特開２００７−２４６１２５号公報
【発明の概要】
【発明が解決しようとする課題】
【００４０】
本発明は上記の背景事情に鑑みて為されたもので、不正使用ができないように二次元コードを製品に添付して、消費者の該製品に関する情報を単品単位で管理しやすく収集し、更に、メーカの製造ラインから消費者の購買後までの単品管理情報を一貫して収集できることに役立つ容器の開発を目的とする。
【００４１】
更に、本発明はプルタブを備えた飲料缶以外について、不正使用ができない、単品単位の情報を収集しやすい、製品の一貫した情報を収集できる容器の開発を目的とする。
【００４２】
ここで言う単品管理とは、容器の製造から消費者に渡って消費されるまでの期間に容器に付随して生じる情報、例えば、容器のトレーサビリティーに関する情報、誰が何時飲んだか、その評価は、という消費者の商品評価情報、販売促進企画の抽選に使用すれば「籤」としての当否情報、或は、容器１本毎に個別に収集し製品のあり様を分析するに必要な多様な情報を使用して容器単品ごとに必要な管理をすることをいう。
【００４３】
前記の容器とは、ペットボトルやガラス瓶やスクリューキャップ付ボトル形状の金属缶などを含み、本発明の目的と合致したものを言う。
【００４４】
食品メーカは、自社の製品に消費者を囲い込みたい（固定客化したい）と願っている。その為に、販売した製品類の１本１本ごとの消費に伴って発生する顧客の囲い込みに必要な顧客情報や販売促進企画や新商品の開発に必要な顧客の評価情報を収集できるシステムに効果的な機能を備えた容器の開発を望んでいる。
【００４５】
それら容器の機能を通じて収集したい情報は次のようなものがある。
【００４６】
１）容器１本１本毎の単品にまつわる種々の情報。
２）１本１本ごとの消費者の回答内容と回答した時刻との双方を関連付けて工場出荷から使用（飲用を含む）までの時間推移統計ができる情報。
３）前記時間推移統計からその回答内容と回答した時刻と物品の製造時刻との三つの情報を関連付けて経過時間と味の相関関係評価（製品内容物の美味しい、不味いなどの評価）ができる情報。
４）二次元コード７の読み取りがなされた時刻を商品の開封がなされた時刻とみなす為の技術を組込むことにより、容器の単品管理における製造からの経過時間に応じてアンケート回答がどのように変化するかを統計できる情報。
５）回答内容を統計することにより、顧客の囲い込みに有効な情報。
６）購入者と食品メーカの間を、購入商品を仲介とした情報交換システムを構築するに際して有効な、更にきめ細かい顧客情報。
【００４７】
これらの情報を収集するシステムの構成要素としては、
１）二次元コードが備わった容器、
２）携帯端末、
３）インターネット、
４）サーバ
などをその要素とする。
【００４８】
その構成要素中の携帯端末によって読み取られる二次元コード（エンコードされるデータ量や印字密度や印字方法や印字機の印字能力で実現できるコントラストやポジ表現か、ネガ表現かなど、で読み取り易さが異なる）と表示する印字部材（印字部材は形状や素材や印字装置との相性や構造や大きさや平面性など多くの仕様を併せ持ち、時に、容器の蓋そのものである場合もある）の間には二律相反する要素がある（後述する）。
【００４９】
１）表示された二次元コードはその利用可能性の検証や有効性の確認や重複利用の排除やアクセスの制限など利用者の権利の把握とその制限が管理可能に行えるだけの情報量を持たねばならない。
２）更に、容器の単品管理ができるだけの情報量がエンコードされていることが求められる。
３）しかし、表示される二次元コードに多量の情報のエンコードを望めば、表示される二次元コードの印字密度や印字サイズや表示方法は印字する場所（容器の蓋の大きさ）に制約されるので、携帯端末の性能によっては読み取りにくくなる。
【００５０】
更に、二次元コードが表示される容器は次のような機能を備える必要がある。
１）一本ごとの容器に表示された二次元コードが、購買者だけがアクセスできる不正使用防止構造を備えている。
２）購入した後でしか二次元コードにアクセスできない構造を備えている。
３）飲用のタイミングに合わせて二次元コードの隠蔽と開示を自在にできる構造を備えている。
【００５１】
表示された二次元コードが備えるべき条件は容易に携帯端末で読みとれることであり、読みとり易さは次の要素で決まる。
【００５２】
１）携帯端末に、読み取りやすい表示サイズで表示されているか。印字スペースには容器蓋１に装着された印字部材３という場所の制約（容器の外側面に表示する場合は、不正利用を防止できないと言う欠陥がある）があり、自ずとその印字面積の大きさに制約がある。
２）携帯端末に、読み取りやすい印字密度であるか。
３）携帯端末に、読み取りやすい表示方法（後で詳細に記述する）であるか。
４）印字できる場所に制約があるので、表示サイズや印字密度や表示方法によって、エンコードできる二次元コードのデータ量は規制される。（詳細は後述する）
【００５３】
二次元コードが印字される印字部材（構造体や内蓋であるときもある）に関連して求められる必要条件は、
１）印字部材の製造設備関係（現行の容器を製造する製罐メーカや食品メーカ等の事業者の既存の設備、工程、製造方法）の変更や更新などが少ないことが求められる。
２）印字部材は省資源、省エネ、リサイクル性などに配慮した環境負荷の少ないことも求められる。
３）印字部材の製造と二次元コードの表示から運用管理までのコストが安いことが求められる。
４）インデックスと二次元コードを印字する印字機にとって実用的な印字速度が実現されるのでなくてはならない。
【００５４】
これらの条件をうまく、費用対効果よく均衡させることができたときに、読み取りやすい二次元コードが表示された容器がローコストでできた、ということになる。
【００５５】
メーカは製品の製造から販売までの己が関与できるプロセス、及び、製品が消費者の手に渡って消費者としての評価を下すまでプロセスの全期間に渡って、製品にまつわって生じた情報を、製造から消費までの一貫した情報として収集し、次の生産に結び付けたい。しかし、そのような情報収集システムは無く、該情報システムを有効に機能させる製品の容器を使った情報システムもなかった。
【００５６】
製造メーカは、製品の販売に伴って発生する顧客の囲い込みに必要な顧客情報や販売促進企画や新商品の開発に必要な評価情報を収集できるシステムに役立つ二次元コードの不正読み取り防止機能を備えた容器のローコストでの開発を望んでいる。その実現が本発明の課題と考える。
【課題を解決するための手段】
【００５７】
前記の課題を解決するために本発明は、単品ごとの容器に表示された二次元コードが、購買者だけしかアクセスできないように、更に、購入した後でしか二次元コードにアクセスできないように不正使用防止機能を備え、飲用のタイミングに合わせて二次元コードの隠蔽と開示を自在にできるようにし、更に王冠で封緘している瓶やガラス瓶やスクリューキャップ付ボトル形状の金属瓶などにも適用するために、
その構成は、
物品を収納する容器の容器蓋１であって、
容器蓋の上に情報本体４４を印字した印字部材と
該容器蓋１の全体又は一部を被覆し、その被覆を剥がしたとき改変や開封した証拠を残すタンパーエビデンス機構１２と、
前記タンパーエビデンス機構が該容器蓋１の全体又は一部を被覆しているときは、情報本体４４の一部又は全部がタンパーエビデンス機構に隠されているため、携帯端末２０は情報本体４４を読み取ることができず、
タンパーエビデンス機構による被覆が剥がされたときは、情報本体４４の全部が表われ、情報本体４４の全部を読み取ることが可能となり、
携帯端末２０は、情報本体４４の情報を送信できるようにした、ことを特徴とする。
【００５８】
更に加えて、物品の製造から消費者の使用後の評価情報までを一貫して収集する為に、情報本体４４をインデックス５と二次元コード７に分離し、印字場Ａ４のインデックス５と印字場Ｂ６の二次元コード７が不可分の正しい１組である事を実現するものであって、
その構成は、
前記情報本体４４は、二次元コード７と、インデックス５からなり、
二次元コード７については、前記タンパーエビデンス機構が該容器蓋１の全体又は一部を被覆しているときは、携帯端末２０は情報本体４４を読み取ることができず、タンパーエビデンス機構による被覆が剥がされたときは、二次元コード７があらわれ、携帯端末２０により、二次元コード７の全部を読み取ることが可能で、
インデックス５については、タンパーエビデンス機構が該容器蓋１を被覆しているか否かに拘わらず、携帯端末２０により常時読み取りでき、
該インデックス５は前記二次元コード７にエンコードされている情報を解読するキー情報を含み、
携帯端末２０は、情報本体４４の情報を送信できるようにした、ことを特徴とする。
【００５９】
更に加えて、タンパーエビデンス機構の利用の仕方の汎用性を図る為に、  
物品を収納する容器の容器蓋１であって、
容器蓋の内面上側に印字部材３を装填し、
当該、印字部材３は、表にインデックス５、裏に二次元コード７を備え
表を容器蓋の上方になるように配置し、
容器蓋１の上面のインデックス５に相当する箇所を透明にすることにより、インデックス５を携帯端末２０により常時読み取りができ、
タンパーエビデンス機構による被覆を剥したとき、
携帯端末２０で容器蓋の裏にある二次元コード７を読み取り、情報本体４４の情報を送信できるようにした、ことを特徴とする。
【００６０】
前記の容器蓋を備えた容器を用いてアンケート調査を行う為に、
請求項１から請求項３の何れかの一つの容器蓋１であって、
タンパーエビデンス機構による容器蓋１の被覆が剥がされたときは、二次元コード７があらわれ、
携帯端末２０は、二次元コード７を読み取り、読み取った二次元コード７に基づき、サーバコンピュータ５５に接続し、
サーバコンピュータ５５からのアンケート設問を受信し、その回答を返送し、
サーバコンピュータ５５は、アンケートの設問を生成して、携帯端末２０に送信し、
携帯端末２０からの回答を受信し、その受信した時刻とアンケートの回答とを
関連付けてデータベースに記録することによりアンケートの収集を行う、ことを特徴とする。
【発明の効果】
【００６１】
発明を実施するための形態に説明する如く、以下のような優れた効果を発揮する。
【００６２】
これらはいずれも従来技術では不可能なことであった。
【００６３】
第一の解決手段によって、購入なされるまでは開封と隠蔽が自在にでき、容器を開封しないと二次元コード７を読み取ることできない為、飲用のタイミングに合わせて二次元コード７の開示が行われ、不正アクセスが不能な構造となり、二次元コードのデータは一意な情報を備えている為容器の単品管理が可能となった。
【００６４】
更に加えて、第二の解決手段によって、インデックス５と二次元コード７の一組性が保証されることになって、一貫した単品管理が容易に安心してできるようになった。
【００６５】
更に加えて、第三の解決手段によって、一貫した単品管理や不正防止機能が容易にでき、隠蔽と開示をローコストで実現することができるようになり、その結果、色々な種類の容器に適応できるようになった。
【００６６】
更に加えて、上記の解決手段を講じた結果、製造メーカにとっては顧客の囲い込みに必要な一貫した顧客情報や販売促進企画や新商品の開発に必要な評価情報も収集できるシステムに役立つ二次元コードの不正読み取り防止機能を備えた容器をローコスト入手できるようになった。
【００６７】
更に加えて、第四の解決手段は、アンケート回答用の端末である携帯端末２０により二次元コード７を読取り読取った情報に基づいてサーバコンピュータ５５にアクセスし、サーバコンピュータ５５においては携帯端末２０によるアクセスを受けてその携帯端末２０にアンケートの設問を配信するとともにその回答が得られた時刻と回答の内容とを関連付けて記録することにより、アンケートの回答が時刻の変化によってどのような推移となるかを統計することが可能となった。その結果、容易に広範囲の顧客からの一貫した単品管理情報の収集も可能となった。  
【００６８】
具体的には以下のような効果が得られた。
【００６９】
１）二次元コード７は容器の開封後でなければ読み取れず、不正利用を、効果的に防止出来るようになった。
２）容器の開封のタイミングに合わせて二次元コード７の隠蔽と開示を自在に出来るようになった。
３）いつでも見ることができる印字場Ａ４の情報を読み取ることで、容器を開封する事無く印字場Ｂ６の情報が解読でき製造メーカは一貫した単品管理も可能となった。
４）この発明により、時間差を持った複数の販売促進企画を１つの二次元コード７で操作でき、より複雑で販促効果の高い企画をローコストで実施できるようになった。
５）印字場Ａ４にはブランド名等インデックス５以外の情報を予め印字し、表示する事もできるようになった。
６）透明な瓶でも、光の屈折でもって蓋の横や容器胴側や容器底からは携帯端末で二次元コード７を読み取ることはできない。
７）容器蓋１は透明であるが、印字部材３の存在によって容器内部は透視できない。
８）容器に２層方式のシールで隠した二次元コードを読み取る方式に較べて、読み取り操作が簡単でローコストになった。
【図面の簡単な説明】
【００７０】
【図１】図１は請求項１と請求項２（実施例１と実施例２）のタンパーエビデンス機構の構成と、それに隠蔽される情報本体４４の関係を示す説明図であって、容器全体の斜視図で、容器蓋に常時開示された情報本体４４（全体が常時見えるインデックス５とタンパーエビデンス機構に一部を隠蔽された二次元コード７）に対するタンパーエビデンス機構（破線内の２１〜２３）の関係を示す。
【図２】図２は実施例１の側面図である。図１同様に情報４４に対するタンパーエビデンス機構として容器蓋にシュリンク包装が施され、容器蓋を覆っていることを示す。
【図３】図３は情報４４に対するタンパーエビデンス機構を剥ぎとった後の容器蓋の側面図である。この場合は、容器蓋そのものに重複して、充填物に対するタンパーエビデンス機能があることを示す。
【図４】図４はタンパーエビデンス機構を剥ぎとった後、容器蓋１の上から見た平面図で情報本体４４（インデックス５と二次元コード７）が破線で囲まれている。図４は図１のタンパーエビデンス機構開封後の平面概要図である。更に情報本体４４はインデックス５と二次元コード７に分離することも示す。数字を１次元バーコードにすることで読取の容易性と正確性を図ることもある。
【図５】図５はタンパーエビデンス機構（破線に囲まれた）が容器蓋の上の印字部材３を如何に隠蔽しているかを示す断面図である。
【図６】図６は実施例１の容器蓋の写真であって、図６は印字部材３がまだ設置されていない時の容器蓋１の斜視図である。
【図７】図７は印字部材３が設置された容器蓋１の斜視図である。
【図８】図８は印字部材３をタンパーエビデンス機構が覆った時の容器蓋１の斜視図である。
【図９】図９は実施例３の説明図であって、図９は全体の斜視図である。蓋にインデックス５だけが見える。数字でなく数字を１次元バーコードにすることもある。情報本体４４がインデックス５と二次元コード７に分割され、透明な容器蓋の外からはインデックス５しか見えず、開封した時しか二次元コード７が見えない事を示す。
【図１０】図１０は印字部材３の構造の１例を示す展開図である。折り返して畳んで表裏一体とする。実施例３において、二次元コードとインデックスを同一部材の同一平面上に期を一にして相前後して印字できることを示す。折り曲げ線１１で折り返すと表裏一体となり、二次元コードとインデックスの１組性がローコストで保証できることを示す。
【図１１】図１１は装填された印字部材３を透明な容器蓋１の上から見た平面図である。インデックス５だけが見える。
【図１２】図１２はタンパーエビデンス機構を容器蓋そのものが備えている事を示す。
【図１３】図１３は印字部材３を透明な容器蓋１に装填した時の断面図である。
【図１４】図１４は透明な容器蓋の内側に印字部材３が収納され、容器蓋１のタンパーエビデンス機構を開封して後、天地を返して容器蓋の内側を見た時に二次元コード７が見える事を示す。
【図１５】図１５は実施例３の透明な容器蓋１の断面からみた応用事例１である。内蓋が無い場合である。
【図１６】図１６は実施例３の透明な容器蓋１の断面からみた応用事例２である。印字部材脱落防止機構９と排液機構１０があることを示す。
【図１７】図１７は実施例３の透明な容器蓋１の断面からみた応用事例３である。内蓋本体が図示する位置にあれば、印字部材脱落防止機構９と排液機構１０が不要な事を示す。
【図１８】図１８は実施例３の透明な容器蓋１の断面からみた応用事例４である。内蓋本体が図示する位置にあれば、印字部材脱落防止機構９と排液機構１０が不要である事を示す。更に、印字部材３を内蓋本体２の凹部に置くだけでよいことも示す。
【図１９】図１９は実施例３の応用事例５であって、例えば、煙草の箱様の容器に本発明を実施した場合を示す。最外装の透明なセロハン紙の一部（２３の部分）を不透明にした上でタンパーエビデンス機構を構築した場合を示す。
【図２０】図２０はレーザマーカによる印字速度計測テストで使用した第一の印字部材の説明図である。
【図２１】図２１はレーザマーカによる印字速度計測テストで使用した第二の印字部材の説明図である。
【図２２】図２２は本発明の構成の概略を示すネットワーク図である。
【図２３】図２３は携帯端末２０の構成を示すブロック図である。
【図２４】図２４は二次元コードの発行プロセスを示したフローチャート図である。
【図２５】図２５は二次元コード１の読取りからアンケートの回答結果が記録されるまでのプロセスを示したフローチャート図である。
【図２６】図２６は管理データベース１０のデータベース構造を示したＥＲ（ＥＮＴＩＴＹ ＲＥＬＡＴＩＯＮ）図である。
【発明を実施するための形態】
【００７１】
なお、本発明の技術的範囲は例示する実施形態に限定されるものではなく、本発明の趣旨を逸脱しない範囲において種々の変更を加えることが可能である。
【００７２】
複数の実施例に共通な事項はまとめて記述し、他の段落では省略することがある。
【００７３】
独自に定義する用語は最初に表記したところで定義する。
【００７４】
以下に、個々の実施例を示す。
【実施例１】
【００７５】
先ず、最初にタンパーエビデンス（ＴＡＭＰＥＲ  ＥＶＩＤＥＮＣＥ）機構について述べる。
【００７６】
製品の梱包や収納容器はＴＡＭＰＥＲ  ＥＶＩＤＥＮＣＥ機能（容器又は包装に、開梱する為に外からの力を加えると容器又は包装に仕組んだ構造又は構成でもって、容器又は包装に不可逆的な形状の変化が起き、その変化をもって容器又は包装の改変や開封した証拠とする機能をタンパーエビデンス機能又はタンパーエビデンス機構と言い、製品の不正な改変や開封を防ぐ機能である）を備えることが望ましい。これを備えることによって、食品やその他製品の偽造や偽装や改造や不正の混入などに対する梱包の品質や製品への消費者の信頼性や信用が向上する。
【００７７】
食品は工場から商品が最終の消費者の口に入るまで安全な状態で届けることが求められる。
【００７８】
１９８４年発生した「ｘｘｘｘｘ事件」は、「ｘｘｘの製品に青酸ソーダを入れた」文書が送られて、市場からｘｘｘ製品や類似の製品が市場から消えた事件であった。
【００７９】
その後も、自動販売機の中に毒の入った飲み物が置かれる事件などが発生した。
【００８０】
また、スパー店頭のパン、牛乳、パックされた肉、魚などから縫い針が見つかる事件は、良く聞く事件である。
【００８１】
この手の食品の流通過程での意図的な悪意を持った犯罪行為に対して、製品に手を加えた場合に、製品が手を加えられた事が明確に解る様にする事をタンパーエビデンスと言う。
【００８２】
タンパーエビデンスの実施例としては次の様な物がある。製品の種類と製品価格とタンパーエビデンス機構のコストによってどのような該機構を選ぶかが決まる。
【００８３】
１、フィルムで上から包む。お菓子などの一般的な包装で、薄いフイルムで箱の上を更に包装する。但し、器用な人なら、異物を混入させて包装を戻すことは簡単に行える。
【００８４】
２、ストリップ包装。薬の様に一単位毎に個別包装する。箱に異物を入れられても、使用する包装単位で品質を守る。
【００８５】
３、シュリンク包装。熱を加えると縮むフイルムで、商品全体又は一部取出し口を包み込む包装方法で、一度フイルムを破らないと商品を取り出すことが出来ない。
【００８６】
４、瓶の封緘。ワイン、ウイスキーの包装の様に、特殊な紙などで、瓶とキャップを封緘する。一度キャップをはずすと、封緘紙が破けてしまう。
【００８７】
５、ブレーカブルキャップ。キャップを壊さなくては、中身を取り出せない状態のキャップである。日本の安価なワイン、プルットップの缶ビール等は金属のフタを壊さないと中身を取り出すことはできない。ペットボトルの醤油などの様にフタの中のキャップを壊すことによって中身が取り出せるような構造もある。
【００８８】
６、封緘チューブ。歯磨き容器の様に、フタを開けて中の取り出し口を壊さないと、中身を取り出せない構造の物。簡単な構造だが、安全性を考えると、非常に安全な構造と言える。
【００８９】
７  エアゾール容器。中身に何か入れようとしても、容器の中の圧力が高いために、異物を入れることが出来ない構造になっている。
【００９０】
上記の各ＴＡＭＰＥＲ  ＥＶＩＤＥＮＣＥ機構に守られた場所に、二次元コード７を表示すれば、多くの製品に本発明の趣旨に沿った二次元コード７の表示方法となり、場合によっては容器蓋に透明性が不要となる場合がある。
【００９１】
以下はＴＡＭＰＥＲ  ＥＶＩＤＥＮＣＥ機構を備える事によって実施例に含めることができる事例である。
【００９２】
ビール瓶のような王冠のあるガラス瓶の場合。
【００９３】
スクリューキャップ付ボトル（瓶）の形状をした、アルミ缶又はスチール缶の場合。
【００９４】
スクリューキャップ付ボトルはアルミ缶メーカが、ペットボトルに対抗して開発したもので、２０００年頃からビールや清涼飲料水の新しい容器として出回るようになった。スクリューキャップによるリキャップが可能で携帯性が高く、機密性にも優れ、リサイクルも容易である特徴を持つ。
【００９５】
別の例に、容器の蓋の上に透明飲用カップを添付し、シュリンク包装材で封緘する。これは二重蓋と見做せる。その中に印字部材を入れる。飲用カップ内に内向きに二次元コード７を、外向きにインデックス５の状態で添付する場合も本発明と同様な効果が得られる。
【００９６】
ビールの樽も取り出し口をタンパーエビデンス機構で覆えば、本発明の１事例となる。
【００９７】
次に、実施例１をＰＥＴボトルとし本発明の容器蓋を図に従って述べる。
【００９８】
図１は容器蓋又は容器全体をタンパーエビデンス機構で包み込む方法であって、本容器蓋を封緘した後の斜視図である。タンパーエビデンス機構１２は、容器蓋１の上にある印字部材３を覆い、情報本体４４を隠蔽している。２１は可動部材、２３は固定部材。２２は封緘部材としてミシン目状に繊細に２１と２３をつなげており、可動部材２１を、開封する為に力を加えれば封緘部材２２は固定部材２３から速やかに破断する。開封して内容物を取り出すことができる。
【００９９】
図１は請求項１の発明において、熱を加えると縮む性質を持つシュリンク性能の高い樹脂フイルムでできた筒状の封緘材で容器蓋部分に被せ熱を加えて収縮させ、封緘部材２２の破断無しには内容物を取り出せないようにして実現したタンパーエビデンス機構１２をもって、情報本体４４を不正な購入者が入手できないようにしたものである。
【０１００】
正当な権利者でない者がこのタンパーエビデンス機構を破損して場合は商品価値がなくなるという意味で「器物損壊」に該当し情報本体４４を読み取って送信した場合は「窃盗」に相応する。
【０１０１】
情報本体４４は、メーカの商品流通過程における単品管理を必要とせず、販売促進用の抽選籤などだけの目的だけで利用する場合には、二次元コード７だけで利用することもできる。二次元コードだけで情報本体を構成することもできる。しかし、この場合でも二次元コードを読み取って送信した後アクセスに成功した場合は、アンケート調査などの交信が可能である。
【０１０２】
次に、実際の手順を述べる。
【０１０３】
先ず、ペットボトルの容器蓋１を準備する。
【０１０４】
次に、印字部材３を準備する。印字部材３の代用として容器蓋１に直接印字してもよいがその場合は、印字される二次元コードが認識しやすい濃い地色の素材が望ましい。
【０１０５】
印字方法はレーザマーカ又はインクジェットプリンター又はレーザプリンターなどを用いて行う。
【０１０６】
情報本体４４を印字部材３に印字する。
【０１０７】
印字部材３に印字される情報本体４４は後で詳細に述べるように、容器蓋１の上に添付できる大きさであって、タンパーエビデンス機構１２に隠蔽され、開封前には携帯端末２０では読み取ることが出来ない。
【０１０８】
印字部材を容器蓋に取り付ける作業の都合上、印字部材裏は粘着剤が塗布され、容器蓋には添付機で自動的に添付される。
【０１０９】
これで、情報本体４４が添付された容器蓋１ができた。
【０１１０】
次に、容器本体８に充填すべき内容物を充填する。
【０１１１】
この後、容器蓋を容器の口に乗せて装着する。取り付けの最終工程として容器蓋を封緘する方向に力を加える。
【０１１２】
これで以って容器蓋を開封の方向に力を加えれば封緘部材２２が破断し、タンパーエビデンス機構が機能する。多くのペットボトルの容器蓋は容器蓋自身にタンパーエビデンス機能を備えている。
【０１１３】
それは図３及び５に示すように、既に既製の容器蓋が可動部材２１と封緘部材２２と固定部材２３の手段を備えているからである。しかし、この事例の場合は、タンパーエビデンス機構は情報本体４４を隠蔽自在にする目的のものではなく、充填された内容物に安全安心を提供すためになされている保護手段であって情報本体４４を隠蔽する為のものではない。
【０１１４】
次に、後刻、封緘部材２２の役目を果たすミシン目が施された、筒状のタンパーエビデンス機能の役目を果たす筒状のシュリンクフィルムを被せる。
【０１１５】
次に、シュリンクフィルムに熱を加える。収縮した時点で、情報本体４４は携帯端末２０に読み取れなくなった。
【０１１６】
これで課題に述べた単品管理ができ、二次元コードの不正読み取り防止機能を備え、製造から消費までの一貫した製品単品の情報管理システムとそのシステムで有効に機能する容器が実現した。
【０１１７】
以上で実施例１についての記述を終る。
【実施例２】
【０１１８】
実施例２の容器蓋製造工程は実施例１に同じであるので、重複する部分は省略するが、情報本体４４の取り扱いが異なる。
【０１１９】
情報本体４４はインデックス５と二次元コード７に分離して印字される。インデックス５はタンパーエビデンス機構に保護されることは無く、常時開示されている。
【０１２０】
しかし、情報本体４４をどのような工程で利用するかによっては、インデックス５を１次元バーコードとし携帯端末２０で読み取ってもよい。その方が効率的なことがあるが、携帯端末を所持しないといけない不便が在る。
【０１２１】
インデックス５の利用について。
【０１２２】
特定の携帯端末２０の携帯端末を一意に識別する識別番号を事前にサーバコンピュータ５５に登録しておけば、該携帯端末２０でサーバコンピュータ５５にアクセスして後にインデックス５を入力すれば、インデックス５を情報の一部にしている二次元コード７にエンコードされている情報を参照したり、サーバコンピュータ５５に蓄積されている一部又全部の情報を参照することができ、製造メーカの単品管理をスムーズにする事ができる。
【０１２３】
何故、インデックス５が要るか。それは、製造メーカ側の人には、二次元コード７は常時は開示されないようにタンパーエビデンス機構に隠蔽されているからであり、二次元コード７は携帯端末２０が無いと読み取れないからである。
【０１２４】
だから、インデックス５だけでは製品の全流通過程で発生する情報を一貫して迅速に収集することはできない。故に、インデックス５は１次元バーコードで代用することも可能であり、物流や商流に携わる関係者の効率を考えるとむしろ一次元バーコードの方がよいこともある。
【０１２５】
故に、商流や物流の過程において、上記の説明に在る如くメーカ関係者はインデックス５を使用して、二次元コードにエンコードされている情報、ＵＲＬを始めとし、添付される物品の型番やシリアルな製造番号や製造年月日や、生産管理や販売管理に必要な管理番号や機台番号や工場番号、ＬＯＴ管理に必要なＬＯＴ番号や管理する目的によって設定される管理コードや、二次元コードそのものの識別番号や、任意のシリアル番号や、メーカや関係者が必要とすることで組み合わされ設定される情報を利用して商品を単品管理することができる。
【０１２６】
更に引き続いて、製品が消費者の手に渡ってからは、メーカは二次元バーコード７を用いて、製品の最終過程である消費者からの情報を、消費者の携帯端末を通じて収集することができる。
【０１２７】
ここで言う単品管理とは、メーカが知りたい容器の製造から消費者に渡って消費されるまでの期間に容器に付随して生じる情報、例えば、容器のトレーサビリティーに関する情報、誰が何時飲んだか、その評価は、という消費者の商品評価情報、販売促進企画の抽選に使用すれば「籤」としての当否情報、或は、容器１本毎に個別に収集し製品のあり様を分析するに必要な多様な情報を容器単品ごとに収集管理をすることをいう。
【０１２８】
これが、情報本体４４にインデックス５と二次元コード７を分離して印字する理由である。
【０１２９】
インデックス５だけを見ても消費者は有意な情報を何も入手することはできない。
【０１３０】
これで課題に述べた二次元コードの不正読み取り防止機能を備え、一貫した単品管理ができる実施例２の容器蓋が実現した。
【０１３１】
以上で実施例２についての記述を終る。
【実施例３】
【０１３２】
請求項３の発明において、容器蓋の内側部分に印字部材３を装填し、印字部材３にインデックス５と二次元コード７を印字して表裏一体としてインデックス５の面を容器蓋の透明な部分を通して、外部に向かって開示し、二次元コード７は容器蓋のタンパーエビデンス機構１２が持つ封緘部材２２の破断を持って開示され、携帯端末で読み取ることができるようにした。
【０１３３】
本実施例は透明な容器蓋がＴＡＭＰＥＲ・ＥＶＩＤＥＮＣＥ機構を代替する機能（インデックスを常時開示し不可逆的開封操作の前後で、二次元コードの隠蔽と開示を自在に行うことができること）を提供することを利用して課題の解決を図るものであること示す。
【０１３４】
本例の形状は実施例１又は２で使用した容器蓋とおなじで、相違点は容器蓋に透明な部分を作ることである。
【０１３５】
実施例３の容器蓋製造工程は実質的には実施例１及び２に同じであるが、情報本体４４の取り扱いは異なる。
【０１３６】
インデックス５を常時開示できるように容器蓋１の原料の素材を、容器蓋成形後も透明である素材とする。
【０１３７】
容器蓋１の金型設計は、内蓋本体２が必要な場合又は不要な場合、印字部材脱落防止機構９を設置する場合しない場合、排液機構１０を設置する場合しない場合を考慮して変更して行う。
【０１３８】
先ず金型に基づいて射出成型法で容器蓋を作る。製作原料は透明な原料（顔料を加えないだけである）で製作する。
【０１３９】
先ず、透明なペットボトルの容器蓋１を準備する。
【０１４０】
この実施例３の場合も実施例１及び２の容器蓋がタンパーエビデンス機構を備えていたと同様にタンパーエビデンス機構を備えている。
【０１４１】
故に、シュリンク包装をしなくてもタンパーエビデンス機構が備わっている。前記容器蓋１は充填物を入れた後取り付ければ、可動部材２１を開封方向に力を加えることでタンパーエビデンス機構が備わっていることがわかる。
【０１４２】
次に、印字部材３を準備する。
【０１４３】
図１０のようにインデックス５と二次元コード７を印字部材３に印字するのはローコストで１組性を実現するためである。
【０１４４】
トムソン型で型抜きする。
【０１４５】
折り曲げ線１１を境にして折り曲げて表裏一体にした印字部材３を容器蓋１の内側に装填する。
【０１４６】
図１１のようにインデックス５を透明な蓋側に向け、図１４のように二次元コード７を容器側に向ける。
【０１４７】
容器本体８に充填すべき内容物を充填する。
【０１４８】
この後、容器蓋１を取り付ける。取り付けの最終工程として容器蓋を締める方向に力を加える。これで以って容器蓋を開封の方向に力を加えれば封緘部材２２が破断し、タンパーエビデンス機構が機能する。
【０１４９】
容器蓋そのものがそれらの機能を備えているからである。
【０１５０】
図１０は実施例３で用いる印字部材３の展開図である。同一の印字部材に同時相前後して同一機材で印字した場合にインデックス５と二次元コード７との１組性が保証されることが見て取れる。こうすることによって、単品管理する時のデータの１組性がローコストで保証できる。
【０１５１】
図１２で、２１は可動部材、２３は固定部材、２２は封緘部材としてミシン目状に繊細につながっており、可動部材２１は開封する為に可動部材２１を廻せば固定部材２３から、ミシン目に相当する封緘部材２２は速やかに破断する。容器蓋自体が、タンパーエビデンス機構１２を持っている事を示す。容器蓋が透明であっても外部から二次元コードを携帯端末で読み取ることはできない。
【０１５２】
図１３は実施例３の断面図であり印字部材３の装填された位置を示す。
【０１５３】
図１４は容器蓋を天地逆にした時に二次元コードが読み取れる事を示す。  
【０１５４】
これで課題に述べた二次元コードの不正読み取り防止機能を備え、一貫した単品管理ができる実施例３の容器蓋が実現した。
【０１５５】
次に、「インデックス５」と「二次元コード７」が印字されている意味について。
【０１５６】
図１は未開封容器の蓋を上から見た斜視図で、インデックス５が読み取れる。こうすれば、容器を開封する事なく、インデックス５を読み取ることが出来て、インデックス５から二次元コード７を解読できることがわかる。
【０１５７】
消費者は「インデックス５」に関係なく「二次元コード７」を読み取って、販売促進企画などに参加する。
【０１５８】
なぜなら、例えば消費者は「二次元コード７」の情報の当否を自分で判断することはなく、送信した「二次元コード７」の当否はサーバ側で判断するからである。
【０１５９】
「インデックス５」が無ければ、メーカは容器の外部から「二次元コード７」にエンコードされた情報を解読することはできない。
【０１６０】
なぜなら、内容物が充填された容器は容器蓋によって「二次元コード７」が隠蔽される仕組みとなっているからである。
【０１６１】
メーカは外部から「インデックス５」を読み取って「二次元コード７」を解読できることは前述した。
【０１６２】
そうする事で、どの部署も詳細な単品管理に基づいた販売促進管理情報や生産管理情報を取得出来る。
【０１６３】
そのために「インデックス５」をメーカが利用できる形態で、目で見える位置に印字されている必要がある。
【０１６４】
しかし、開示されている「インデックス５」から、まだ容器が開封されていない他の未使用の容器の「二次元コード７」の内容を類推できたりしてはならない。その為に二次元コード７を暗号化し隠蔽する必要性が出てくる。
【０１６５】
あくまで、インデックス５は、メーカにとって必要なものである。
【０１６６】
図１１によれば、印字場Ａ４が容器蓋に挿入後に目視できる位置であれば、インデックス５は印字場Ａ４のどこに印字しても良いし、レーザマーカで印字する場合は、微細に印字できるので適切な場所に印字すればよい。図１３によれば、印字場Ａは常時開示され、印字場Ｂは隠蔽されており、ミシン目を切り、開封することで印字場Ｂは開示されることが解る。
【０１６７】
「インデックス５」は桁数を少なくするために数字では無く、アルファベットだけで印字しても良い。又、１次元バーコードでもよい。
【０１６８】
容器本体８は従来の容器を使用するので、特段の仕様変更は無い。
【０１６９】
次に、単品管理に必要な二次元コードとインデックスとの１組性保証について述べる。
【０１７０】
１組性とは、２つのものが相互に共通の目的を果たすために１組と定め、密接不可分な関係をいう。錠前と鍵の関係がその事例である。
【０１７１】
印字部材３の同一平面上に、同一機材で、同時前後してインデックス５と二次元コード７を印字することとした。その効果は、
１）不可分なインデックス５と二次元コード７の１組性が保証された。
２）容器を開封する事無く印字場Ａ４のインデックス５で、印字場Ｂ６の二次元コード７が解読できるようになった。
３）１組性の検証のための再度の照合作業を不要とし、照合コストを削減できた。
４）１組性の信頼度が高くなったので、製品メーカは安心して単品管理を行うことが出来るようになった。
５）単品管理が不要な場合は、インデックスの表示を不要とすることができる。
【０１７２】
以上で実施例３についての記述を終る。
【実施例４】
【０１７３】
図１は容器の容器蓋をタンパーエビデンス機構でもって隠蔽構造を実現した例である。この場合、二次元コード７の添付された物品８０がこの容器である。請求項１乃至３の発明によると、容器はタンパーエビデンス機構の操作でもって、開封がなされる構造であるとした。例えば、二次元コード７の添付されている飲料容器が商品として販売されているペットボトル飲料であり、前記隠蔽構造が図１にあるようなタンパーエビデンス機構であったとする。すると、「ペットボトル飲料を開封せずに二次元コード７を読取ってアンケートに回答する」という行為を行うことは不可能である。従って、ペットボトル飲料を飲んだ時刻とアンケートに回答した際の時刻との差をより小さくすることが可能であり、飲んだ時点での商品の評価情報が得られる。従って、商品開発に対して極めて有用な情報を得ることが可能である。
【０１７４】
図２２は、本発明におけるネットワーク図である。二次元コード７は図１の場合は容器蓋１上の印字部材３に設置され、印字部材３を兼ねて容器蓋１に直接印字することも可能である。
【０１７５】
図２２において、インターネットは携帯端末２０やその他のコンピュータ同士を接続するための通信手段である。インターネットに限らず、有線や無線によるＬＡＮやＢＬＵＥＴＯＯＴＨなどの通信手段など、どのような通信手段でも良い。又、全ての接続を同一の通信手段とする必要は無く、例えば、携帯端末２０とサーバコンピュータ５５との通信はインターネット、その他の通信は有線によるＬＡＮであるなどの構成も可能である。
【０１７６】
携帯端末２０はインターネットを介してサーバコンピュータ５５と接続されているコンピュータ端末である。又、携帯端末２０は、二次元コードを読取る手段を備えており、二次元コード７を読取り、エンコードされているデータをデコードして取出し、デコード結果のデータに基づいてサーバコンピュータ５５への接続を行う手段を有する。携帯端末２０のハードウェア構成の詳細については後述する。
【０１７７】
使用者７７は、携帯端末２０の所持者である。尚、携帯端末２０における固有の識別番号２０Ａに対してアンケート回答履歴(回答履歴とは回答の内容と回答がなされた時刻の双方を含むものとする)を追跡した場合、使用者７７の回答履歴を追跡していることになる。
【０１７８】
サーバコンピュータ５５は、インタネット６６を介して携帯端末２０及び生産管理コンピュータ５７と相互に接続されているとともに、管理データベース５６と接続されておりそのデータ読出及び更新を行うコンピュータである。サーバコンピュータ５５はサーバプログラムを備え、携帯端末２０からのアンケート送信要求を受けた際にアンケートを携帯端末２０に配信するとともに、携帯端末２０から受信するアンケート回答の結果とその時刻とを記録・統計する手段を有する。記録・統計の際のデータの格納場所として管理データベース５６が利用される。
【０１７９】
生産管理コンピュータ５７は、インタネット６６を介してサーバコンピュータ５５と相互に接続されているとともに、製造データベース５８と接続されておりそのデータ読出及び更新を行うコンピュータである。更には、物品８０が商品として出荷される際の情報を製造データベース５８の記録を用いて管理するコンピュータである。生産管理コンピュータ５７は生産管理プログラムを備え、物品８０の製造の際に、物品８０と二次元コード７とを関連付けて製造データベース５８に記録する手段を有する。
【０１８０】
携帯端末２０の構成を表すブロック図について、図２３に沿って説明する。
【０１８１】
携帯端末２０は、インターネットを介してサーバコンピュータ５５に接続し相互通信が可能である。接続の際にはネットワークインターフェース２４０を用いてインターネットを介してサーバコンピュータ５５に接続される。
【０１８２】
携帯端末２０は撮影部２１１を備え、静止画像若しくは動画の撮影が可能である。又、ＣＰＵ２２０は撮影部制御部２２１を備えており、撮影部２１１を制御して撮影操作を行う。このとき、携帯端末２０の使用者７７は、入力部２１２を操作することで撮影を行う。
【０１８３】
更に、ＣＰＵ２２０は二次元コードデコード部２２２を備える。二次元コードデコード部２２２は、撮影部２１１によって撮影された静止画若しくは動画中に二次元コードが含まれているか否かを認識し、二次元コードが含まれている場合にはその二次元コードをデコードし、エンコードされていたデータを取得する。
【０１８４】
更に、ＣＰＵ２２０はアンケート送信要求部２２３を備える。アンケート送信要求部２２３は、二次元コードデコード部２２２によって二次元コードをデコードした結果として得られたデータを元にしてサーバコンピュータ５５に接続し、アンケート送信要求を行う。尚、サーバコンピュータ５５への接続の際には、ＲＯＭ部２５０に格納されている携帯端末の識別番号２０Ａがサーバコンピュータ５５に送信される。
【０１８５】
尚、二次元コード７に記録されているデータであって、サーバコンピュータ５５に接続するためのデータは、サーバコンピュータ５５のネットワーク上でのパスを含む。このデータをＵＲＬ形式としても良く、又、携帯端末２０に予めパスを記憶しておいても良い。
【０１８６】
ＣＰＵ２２０によるこれらの処理を行うに際して、一時記憶領域としてメモリ２３０が利用される。
【０１８７】
アンケート送信要求によってサーバコンピュータ５５から携帯端末２０に対してアンケートにおける質問が送信される。その質問の内容は表示部２１３に表示される。それに対する回答は使用者７７が入力部２１２にて入力操作を行うことにより行われる。
【０１８８】
格納部２６０は、質問の表示のスタイルに関する情報や、質問の履歴に関する情報を格納できる記憶領域である。質問の表示の際にはＨＴＭＬやＸＭＬを用いてもよく、また表示するための専用のソフトウェアを用いても良い。
【０１８９】
このような携帯端末２０としては、携帯電話をハードウェアとして用い、上記の機能を実現するためのプログラムを組み込むことにより容易に実現することができる。又、携帯電話に限らず、ＰＤＡやモバイルパソコンやゲーム機やデジタルカメラや電子財布などでもよく、その他どんなコンピュータであっても良い。
【０１９０】
図２４において、二次元コードが商品に添付されて出荷されるまでの過程を説明する。本実施例中において物品８０は、商品として販売される対象であるため、図示しないが商品８１と記述する。又、Ｓ３０００番台とＳ５０００番台とのステップは、夫々サーバコンピュータ５５と生産管理コンピュータ５７との上で動作することは明らかであり、それらの動作主体が明らかである場合にはその動作主体や文章中の主語の記述を省略することがある。
【０１９１】
開始入力を受けることにより、生産管理コンピュータ５７において生産管理プログラムが開始される。
【０１９２】
ステップＳ５００１により、サーバコンピュータ５５に対して二次元コード発行要求がなされる。このステップは、生産管理コンピュータ５７は製造データベース５８中に記録されている商品を商品８１として、その商品８１に二次元コード７を関連付けるためになされる。
【０１９３】
サーバコンピュータ５５はステップＳ３００１において、二次元コードＩＤを発行する。二次元コードＩＤは各々の二次元コードに対して固有の一意な番号であるため、既に発行された二次元コードＩＤと重複しないＩＤが選ばれる。
【０１９４】
ステップＳ３００２において、二次元コードＩＤを持つ二次元コードを管理するためのデータレコードを生成し、管理データベース５６中に記録する。ここで、管理データベースの詳細は図２６に示してある（詳細は後述）。
【０１９５】
次に、サーバアドレスと二次元コードＩＤとをエンコードして二次元コード７を画像データとして生成する（ステップＳ３００３）。
【０１９６】
ステップＳ３００４により、前ステップにて生成された二次元コード７を生産管理コンピュータ５７に送信する。尚、このステップにおいては、サーバコンピュータ５５において二次元コードのエンコードが行われているが、エンコードの操作は生産管理コンピュータ５７において行っても良い。
【０１９７】
生産管理コンピュータ５７によりステップＳ５０１１において、二次元コード７を受信する。
【０１９８】
ステップＳ５０１２により、前ステップにて受信した二次元コード７と商品８１とを関連付けて製造データベース５８に記録する。
【０１９９】
この時点で商品８の出荷準備が完了したことになる。
【０２００】
そして商品８１が出荷されるとともに、ステップＳ５０１３により、商品８１が出荷されたことを出力し、その情報を製造データベース５８に記録する。
【０２０１】
図２５において、出荷された商品８１に添付の二次元コード７が携帯端末２０によって読取られ、使用者７７によってアンケートの回答がなされるまでのプロセスを説明する。
【０２０２】
管理データベース５６の構造については図２６参照のこと。図２６のＰＫは主キー属性を示し、ＦＫは外部キー属性を示すものとする。
【０２０３】
まず、使用者７７が携帯端末２０を操作することにより端末プログラムが動作する。
【０２０４】
ステップＳ２００１により、携帯端末２０が二次元コードを読取る。
【０２０５】
ステップＳ２００２により、前ステップによって二次元コード７が読取られた結果に基づいて、サーバコンピュータ５５にアンケート送信要求を行う。この場合、二次元コード７には商品８１に関する情報がエンコードされており、その情報を送信することにより、アンケート設問選択がなされる。この情報は商品企画１０４における主キー属性である。商品企画コードを含んでいる。
【０２０６】
商品企画１０４はどのような商品１０１に対してアンケート回答の際にどのような抽選１０３を行うか、又それらの情報を参照するための二次元コード１０２はどのような二次元コードＩＤを持つかといったことを関連付けるレコードを備えるデータテーブルである。
【０２０７】
又、質問セット明細１０７はどのような商品企画１０４に対してどのようなアンケート設問を行うかを関連付けるためのデータテーブルである。アンケート設問の内容やその分野、回答方法（選択式や記述式等の情報）等はアンケート設問１０６に規定されている。
【０２０８】
携帯端末１０５は、アンケートに参加した携帯端末２０のリストを作成するためのデータテーブルである。
【０２０９】
回答明細１０８は、どのようなアンケート設問１０６に対してどのような携帯端末がどのような回答をいつ行ったのかを記録するデータテーブルである。尚、回答明細１０８の属性を参照し、その値がＮＵＬＬであるか否かを用いる等の方法により、同じ携帯端末２０で同じ二次元コード７を複数回読取って複数回の回答を行おうとしているかなどといった判別が可能である。
【０２１０】
ステップＳ３１０１により、サーバコンピュータ５５はアンケート送信要求を受信する。
【０２１１】
ステップＳ３１０２により、初回の回答か否かによって分岐を行う。この場合の初回とは、ある二次元コード７によるアンケートに対して同じ携帯端末２０が複数回の回答を行おうとしていないか、若しくはある二次元コード７によるアンケートに対して複数回の回答が行われようとしていないか、などの複数のパターンが考えられる。
【０２１２】
ステップＳ３１０２の分岐によってその次のステップはＳ３１０３とＳ３１０４とに分岐する。
【０２１３】
ステップＳ３１０２後にステップＳ３１０４が実行された場合を説明する。
【０２１４】
ステップＳ３１０４より、アンケートに参加できないことを示す情報を生成し、携帯端末２０に送信する。
【０２１５】
携帯端末２０はステップＳ２００３により、アンケートに参加できないことを示す警告情報を表示し、プロセスが終了する。
【０２１６】
ステップＳ３１０２後にステップＳ３１０３が実行された場合を説明する。
【０２１７】
ステップＳ３１０３により、携帯端末２０に送信するアンケート設問を決定する。この設問の決定の際には、予め出題パターンを設定しておいたり、乱数を用いたりといった方法が採られる。若しくは、既に集まっている回答結果の集積された情報を、設問選択の際の要因として加えることも出来る。
【０２１８】
ステップＳ３１０５により、携帯端末２０にアンケート設問を送信する。
【０２１９】
アンケート設問が複数問ある場合に、回答を一つずつサーバコンピュータ５５に送信すると、通信回線やサーバコンピュータ５５における処理の負担が大きくなる。従って、複数問の回答に関するデータを一括してサーバコンピュータ５５に送信しても良い。この機能は、携帯端末２０に専用のソフトを組み込んでも良いし、サーバコンピュータ５５から質問を送信する際にスクリプト言語によるプログラムを携帯端末２０に送信しても良い。
【０２２０】
次に携帯端末２０において、ステップＳ２００４により、受信した設問が表示される。
【０２２１】
ステップＳ２００５により、設問に対する回答の入力操作を受付ける。そこで、使用者７７は入力操作を行い、次のステップに処理が移行する。
【０２２２】
ステップＳ２００６により、前ステップにて取得した回答結果を含む情報をサーバコンピュータ５５に送信する。
【０２２３】
次に、サーバコンピュータ５５においてステップＳ３１０６により、アンケート設問に対する回答結果を受信する。
【０２２４】
ステップＳ３１０７により、アンケート設問に対する回答結果と回答結果が得られた時刻とを管理データベース５６に記録する。
【０２２５】
次に抽選の処理を行う。抽選はアンケート参加者に対して行われる。その目的は、アンケート参加者の参加意欲を向上させ、より多くの回答結果を得ることにある。
【０２２６】
ステップＳ３１０８により、抽選を実施する。当落の決定は、予め用意されたパターンに従うか、乱数を用いるか、時間を用いる、若しくはそれらの組み合わせ等の方法によって行う。
【０２２７】
ステップＳ３１０９により、抽選結果を携帯端末２０に送信する。
【０２２８】
次に、携帯端末２０において、ステップＳ２００７により、抽選結果を表示する。この結果表示の際に、当選者に送付する商品の送り先の入力を受付けても良い。
【０２２９】
又、本実施例においては、携帯端末２０が二次元コード７を読取ってサーバコンピュータ５５にアンケート送信要求を行うことによりアンケートが開始されるが、二次元コード７の役割をＲＦＩＤ等で代替することもできる。この場合には、携帯端末２０にＲＦＩＤの読取り機能を持たせる構成にする。
【０２３０】
以上で実施例４の一連のプロセスが終了する。
【０２３１】
以下は、各実施例に共通と考える要素と項目について記述する。
【０２３２】
不正防止機構について。
【０２３３】
不正防止機構とは、店頭又は他人が所持する容器に添付されている情報本体４４を所有権のない人が所有権者の了解なく「容器に添付の情報を読み取ること」を防止する機構を言う。
【０２３４】
例えば、製品の内容物がビールや発泡酒や炭酸ガス液体を封入されたものとする。
【０２３５】
更に、容器に開封しないと読み取れない二次元コード７が印字され、二次元コード７を利用した「籤」がついているとする。
【０２３６】
購入者で、「籤」だけを引くために容器を開封して二次元コード７を読みとり、液体を飲まない人はいない。
【０２３７】
逆に、購入せず、容器を開封せずとも二次元コード７が読みとれて「籤」を引けるなら「籤」を引く人はいる。この人が不正行為の実行者である。
【０２３８】
実施例３はシュリンク包装されていないが、蓋内部に二次元コード７が設置され、容器蓋１をねじって容器を開封しない限り、二次元コード７は露出せず読み取れない、タンパーエビデンス機構１２を備えている。
【０２３９】
二次元コード７を遮蔽している容器蓋１をねじり、二次元コード７を露出させる動作は購入者及び非購入者（不正を働く人とする）いずれにとっても同じ操作である。
【０２４０】
容器を開封するために容器蓋を強く捻ると、スリットの部分から上下に破断する。その仕組みは不可逆的であるために、容器の購入者しか正当に容器を開くことができない事を意味する。
【０２４１】
本発明は非購入者に対して、容器蓋１の内側にある二次元コード７を読み取るためには、遮蔽物としての容器蓋１をねじり、容器蓋１の形状に不可逆的変化を起しながら内容物の溢出又は「プシュー」又は「カパーッ」などの音響を伴う自然の法則に適った現象をも不正防止機構としている。
【０２４２】
本発明は「容器開封が先、二次元コード７の読み取り開始は後」という順序を強制する。容器蓋１の持つ機能は自然の法則に適い、購入者の動作はこれに準じて行われる。
【０２４３】
この不正防止機構は二次元コード７が容器蓋１の内側に設置されているから効果を発揮する。
【０２４４】
しかも、購入者でも、開封後しか二次元コード７を読み取れないために、アンケート調査に回答できるタイミングは開封後と限定される。
【０２４５】
これゆえに、確実に開封後の情報しか収集しないシステムとなる。開封後の情報しか収集しない容器を使ったアンケートシステムはなかった。
【０２４６】
しかも、いつ容器を開封するかということの決定権は購入者が握っているので、隠蔽と開示のタイミングは自在に選択できることとなる。
【０２４７】
不正使用防止機能の実現と読み取り易さの実現とを両立させながら、従来の製造方法や設備を生かして容器を製造するために、次の要素（１）容器蓋１（２）印字部材３（３）タンパーエビデンス機構１２で構成した。
【０２４８】
本発明では不正使用防止機能と単品管理機能を実現し、１）購買者だけがアクセスでき、２）購入した後でしか二次元コード７にアクセスできないようにするために、つまり、購買者が容器の開封後だけ二次元コード７を読み取れるようにするために、まず、実施例３では容器蓋１を透明な蓋とし、印字場Ａ４と印字場Ｂ６は容器蓋１内部とし、蓋を通して印字場Ａ４のインデックス５はいつでも読み取れるようにして二次元コードを解読できるようにもした。
【０２４９】
更に蓋を開けた時、二次元コード７を全面開示する構造とした。
【０２５０】
印字部材３が容器内に脱落する恐れがある場合は、容器蓋１に印字部材脱落防止機構９を設けるか又は内蓋本体２を設けた。
【０２５１】
不正防止機構の副次的効果について。
【０２５２】
１）実施例３では、本発明の二次元コード７は、容器を開封して、飲用が完了して後に、容器蓋１をひっくり返して見るまでは、二次元コード７があることすら購入者には解らない。
２）故に、購入前に、購入者が口を接触する位置（容器口）に異物が表示されている、と気づかせることはない。
３）故に、違和感を持たせない、で済む効果がある。
４）違和感を持たれる事は販売促進策上、得策ではない。顧客の反応として重要な反応である。
５）無理に蓋を旋回させて下部のスリットを切ると、旋回を元に戻しても元の密封状態には戻らない。
６）レーザマーカで印字する場合、印字部材３の素材の選択幅が広がり、既存の設備でインデックス５と二次元コード７の１組性をローコストで保証できるようになった。
スクリューキャップ付ボトルではキャップに直接印字し、シュリンク包装することで、ローコストでタンパーエビデンス機能を実現できる。
７）その結果、容器開封動作の後にだけ見える二次元コード７と常時みえるインデックス５のデータに実質的同じ情報としての操作性と利用可能性を保証することが出来るようになった。
８）前記二次元コード７と前記インデックス５を同じ扱いで使用できるから、メーカとして必要な単品管理などが行えるようになった。
【０２５３】
容器蓋１について。
【０２５４】
実施例１又は２の容器蓋の色はなんでもよいが、実施例３の容器蓋の色は着色せず無色透明を基本とする。着色したとしてもインデックス５が容易に認識できる程度の濃度とする。容器を開封する事無くインデックスを読み取ることが出来れば部分的に不可視な部分があってもよい。
【０２５５】
容器蓋はＰＥＴより柔らかいポリエチレンで、透明な合成樹脂とした。
【０２５６】
ペットボトルのキャップの場合はポリエチレンが主な材料である。他にポリプロピレン、スチロール、ナイロン、ＡＢＳなどを使うこともある。
【０２５７】
容器蓋外観は各用途の容器に応じて作られた過去の形状に変化はなく、外観を形成する金型にも変更はない。
【０２５８】
容器蓋の内部構造及びその形状は印字部材脱落防止機構９や排液機構１０を設けるかどうかで、変更が生じる。
【０２５９】
タンパーエビデンス機構１２について。
【０２６０】
図３又は１２又は１５乃至１８によれば、ペットボトル容器蓋の下部に細かくスリットが入っている。
【０２６１】
スリットはタンパーエビデンス機構１２の封緘部材２２である。タンパーエビデンス機構の方法は色々ある（前述した）。スリットは可動部材２１と固定部材２３との間に形成され、同一素材で一体成形され開封方向に力を加えると破断し開封の証拠となる。
【０２６２】
このスリットは、容器を開封するために可動部材２１を強く捻ると、回転と共にスリット部分を破断個所として、この部分から上下に破断する。その仕組みは不可逆的であるために、正規の商品の購入者しか正当に容器を開ける権利がない事を意味する。未購入者が不正に二次元コード７を携帯端末で読み取ることを防ぐ。
【０２６３】
固定部材２３について。
【０２６４】
容器蓋に一体の固定部材２３とは容器を封緘する際には容器蓋１と一体になって容器に装着され、容器を開封する際はスリットを境にして容器本体に留め置かれる部材である。
【０２６５】
内蓋本体２について。
【０２６６】
本発明による容器の内蓋本体２は、概ね２種類の形状で実施される。その１は図１６の如く、印字部材３が容器口に乗り内蓋の機能を果たし、封緘の役目を果たし、印字部材３が、充填されている製品にインクなどによる浸潤や印字部材そのものの溶出による害などを及ぼさなければこの方法でもよい。害が発生するのは印字部材３と充填食品との相性や相互作用にも拠る。加えて、充填内容物がインデックス５や二次元コード７の読み取りを阻害しない色や濃度や原料である場合も内蓋を必要としない。
【０２６７】
図１５の場合、印字部材脱落防止機構９の直内径（Φ２）は印字部材３の直外径（Φ１）より小さくなければならない。内蓋本体２は容器の口の内径以上であって容器の口に被るようなサイズである。図１６の如く、単純に容器の口を塞ぐように設置することもできる。その場合は排液機構も不要となるが蓋を容器に取り付ける時、印字部材３が容器蓋１から外れないように接着してもよい。
【０２６８】
印字部材３について
【０２６９】
図１６によれば、印字部材３の大きさは印字部材３が容器口上辺に乗り、封緘能力がなければならない。
【０２７０】
印字部材３をポリプロピレンとすることで省資源、省エネ、リサイクル性能など環境負荷の少ないものにできる。
【０２７１】
印字部材３のポリプロピレンシートコイルを２色２層の構造にすることでレーザマーカによる印字速度を高速化することができる。
【０２７２】
印字部Ａと印字部Ｂを１枚の印字部材３の裏表に印字する意味について。
【０２７３】
本発明で言う１組性とは、２つのものが相互に共通の目的を果たすために１組と定められたものをいう。
【０２７４】
１組のインデックスと二次元コードにおいて、インデックス５を見れば、二次元コード７を解読できる、逆もあり得る、しかし、この事例の場合のように、それはインデックス５も二次元コード７も同一容器に備わっている場合にのみ価値を生ずる。
【０２７５】
１組性を保持しながら、大量且つ連続して、インデックスと二次元コードを同一印字部材３の異なる面に印字することは難しい。
【０２７６】
どこかで１つづれると、それ以後は全て１組性が崩れて不良品となる、作業を正常な状態に戻すのに時間とコストと手間がかかり大量生産する場合には向かない。
【０２７７】
全数検査するのにも、印字の時と同様に時間とコストと手間がかかる。不良品の発生はインデックス番号の連続性を確保するのに、又、回復するのに時間とコストがかかる。
【０２７８】
分離された別々の印字材にインデックス５と二次元コード７を印字し、後刻、１組性を保証するには更なる時間とコストと手間がかかる検証作業が必要とされる。
【０２７９】
実施例３のような方法でなければ、ローコストで、表裏２面に、インデックス５と二次元コード７の不可分な１組性が保証できる印字機材はなく、新規に開発しなければない。
【０２８０】
二次元コードの読み取り易さについて。
【０２８１】
二次元コードの印字スペース確保が読み取り易さの基礎である。
【０２８２】
必要とする情報量をエンコードした二次元コード７を印字するためには、印字スペースが確保されなくてはならないが、（１）容器蓋１と（２）印字部材３で構成する容器蓋としたことで、必要な印字スペース（所要スペースについては後で詳しく説明する）を確保することができた。
【０２８３】
その効果は、読み取りやすい印字密度の二次元コード７が、読み取りやすい表示サイズで、読み取りやすい表示方法で印字できるようになった。（後で詳細に記述する）。
【０２８４】
製造設備のローコスト効果について。
【０２８５】
本発明では、従来の設備や製造方法や製造知識が使えて、新規の設備投資が少なく、製造原価を安くする（ローコストの実現）効果があった。以下に詳述する。
１）食品製造メーカでは新規設備の開発や更新などせずに済んだ。
２）製罐メーカでは新規設備は印字設備の新設や金型を変更する設備投資などで済んだ。
３）容器蓋１に印字部材３を装填し合体させる工程に設備の更新、変更、工程の組み換えが生じるが、これは必要最小限の変更として抑えられた。
４）印字部材３の製作は、既存の印刷物製作のノウハウで解決できた。連続番号の順序を保持しながら梱包し納品するのが課題となった。
５）この発明による容器が実用化された結果、経費をかける事無く、製品メーカは従来できなかった膨大の数の容器の単品管理が出来るようになった。
６）その結果、食品製造メーカは従来できなかった確実に開封後の購入者からのリアルタイムなアンケート回答を集計できるようになった。
７）食品製造メーカは従来できなかった新しい顧客情報の収集ができることになり、リコメンド分析も可能となった。（該リコメンド分析とは、Ａを飲んだ人は、次はこんな物を飲んだ、飲む傾向が強いなどと言う、ある傾向を調査分析し、次に購入する商品を勧めることや新商品開発に有効な情報を収集分析することができる手法である）。
８）印字部材３をプラスティックにした結果、印字部材の材質が原因で液体を汚染することは無く、印字機をレーザマーカにすることでインデックス５と二次元コード７のインクによる製品の汚染は防げることになった。
９）印字部材にシートコイルを用いることができるようになったので、製作の高速性、効率性がよくなった。
１０）食品製造メーカは従来収集できなかったタイミングでの鮮度管理が出来るようになった。
１１）製罐機メーカは、容器蓋１を作り、印字部材３を装填する機械の開発だけに専念すればよくなった。しかも変更は軽微である。
１２）本発明の結果、費用対効果の高い販売促進機能付の新製品の蓋として、製罐メーカから食品メーカに提案できるようになった。
１３）印字部材３を既存の製造設備やノウハウを利用して実現できるので関係する製罐メーカも食品メーカも投資リスクが少なくて済み、本発明を導入しやすくなった。
【０２８６】
これで１組性をローコストで実現する構造が実現した。
【０２８７】
実施例３の場合、印字場Ｂ６は容器蓋１内に設置され、蓋の開封操作を行った場合にのみ、印字場Ｂ６に印字された二次元コード７の全体像が露出し読取り可能となる。
【０２８８】
これでもって、容器添付の二次元コード７が商品の未購入者に不正に読み取ることができず、購入者でも容器の開封以後しか読み取れず、且つ１組性を保証された容器が実現した。
【０２８９】
印字部材脱落防止機構９について。
【０２９０】
容器の口に内蓋本体２を設置した場合は印字部材３を置くことができ、不用になる場合がある。
【０２９１】
実施例３は、印字部材脱落防止機構を設け、排液機構を設け、加えて、内蓋本体２を備えた。
その効果は、
１）（図１５、１６、１７参照）印字部材脱落防止機構９を容器蓋１内に設けたため、印字部材３が容器内に脱落しないようになった。
２）（図１５、１６、１７参照）印字場Ａ４と容器蓋１との間に侵入した製品溶液でインデックス５が外部から見えづらいことがあったが排液機構１０を設けたため、解消された。
３）（図１５、１６、１７参照）印字場Ａ４と容器蓋との間に製品溶液が侵入しないように容器口を内蓋本体２で封鎖した。その結果、製品溶液が越流して印字部材３の上面に来ることは無く溶液がインデックス５の表示を阻害しないようになったので、排液機構が不要となる効果がある。
４）（図１８参照）更に、内蓋本体２の上部に印字部材を収納することで印字部材脱落防止機構９と排液機構１０が不要となった。
【０２９２】
図１５によれば、印字部材脱落防止機構９を設ける事によって、折り畳まれて略円形状になった印字部材３を印字部材脱落防止機構９より奥の部分に圧入装填すれば、後刻容器内部に落下することはない。
【０２９３】
排液機構１０について。
【０２９４】
容器蓋１の内側であって印字部材３と容器蓋１の間の空間に、内容物の液体が浸入して、インデックス５が読み取りづらくなるのを防ぐために、排液機構１０を設けた。
【０２９５】
その機能は容器蓋と印字部材３との間に空隙を保持し溶液の排出を促すためである。この機構を設ける事によって、浸入した製品溶液が容器を立てれば速やかに流下し、インデックス５が読み取りづらくなるのを防ぐことができる。排液機構１０と同じ役割を果たす空隙の保持は印字部材側にエンボス加工（押し型加工）を施すことで行っても良い。
【０２９６】
インデックス５及び二次元コード７の保持目的で内蓋本体２を利用するのもよい。（図１７、１８参照）
【０２９７】
（図１６、１７、１８参照）の如く、インクや印字部材そのものの溶出などが製品に害を及ぼす恐れがある場合や、恐れは無いまでも飲用者に対するイメージの面から内蓋本体２を用いて印字部材３と製品を分離するのはよい方法である。
【０２９８】
更に、内蓋本体２の上面に凹部を設け、印字部材３を置いてインデックスが読み取れるようにすれば、従来の製造設備の変更や工程の変更も少なく、本発明を導入することを更に容易にする。
【０２９９】
従来の王冠使用の瓶でもその他の容器でも、本発明に必要な機能の実現ができる収縮性のあるシュリンク部材などを含めた多くの種類のタンパーエビデンス機構１２を使って、透明蓋の代役をさせて、本発明の趣旨に沿った効果を従来の容器でも実現できる。
【０３００】
内蓋本体の取り付けについて
【０３０１】
図１７に拠れば、容器蓋と挿入ガイド１４の間に内蓋本体を挿入するための挿入ガイドの外径（Φ３）は容器の口の内径より小さくする必要があり、その為に容器蓋の金型は変更が生じる。
【０３０２】
図１８に拠れば、内蓋本体は従来の容器口の内側に挿入されるだけで、金型の変更は無い。内蓋本体の深さは内蓋本体の内側に印字部材置いておけるだけの深さがあれば尚よい。
【０３０３】
容器の開封時の人の動作について。
【０３０４】
常識的な購入者は容器を開封して、まず内容物を飲む。しかる後に、二次元コード７を読み取り、送信する。
【０３０５】
本発明の二次元コード７のついた製品は、容器開封後でなければ読み取れず、開封後でなければ二次元コード７を読み取らない事が解る。
【０３０６】
こうして、本発明の蓋を取り付けた容器の特徴「容器開封が先、読み取るのは後」ということが理解される。
【０３０７】
印字部材３が容器口に乗らない場合について
【０３０８】
図１５、１６、１７は印字部材３が容器口に乗らない場合の断面図である。
【０３０９】
印字部材３の素材は紙、合成樹脂、金属、何れでもよい。
【０３１０】
図１５、１６、１７は印字部材３の印字部材脱落防止機構９を容器蓋１の内側に設けた。
【０３１１】
容器蓋１の金型の設計変更は印字部材脱落防止機構９、排液機構１０を蓋内側に設けるだけである。
【０３１２】
印字部材３の表面に凹凸加工を施すエンボス加工をもって排液機構１０の役目とすることもできる。
【０３１３】
容器蓋１の形状や寸法を変更せず、製罐メーカや飲料メーカが新規設備投資を増やさない事を図るために、図１５乃至１８に記載の印字部材３を図１のように容器口の上に表示する事で、対処することも可能である。
【０３１４】
図１５は、印字部材脱落防止機構９を容器蓋１の内側に設けたので、既存の容器蓋１と容器口の漏水防止構造の設計仕様や方法を踏襲できるため設計変更が少ない。
【０３１５】
印字部材３の印字場Ｂ６に印字する二次元コード７の印字方式はレーザマーカやインクジェットプリンターやレーザプリンターの何れでもよい。
【０３１６】
但し、印字場Ｂ６は製品に直接触れるので、印字場Ｂ６の製品との接触部から製品に有害なものが溶出しないことが求められる。
【０３１７】
内蓋本体２を容器口に取り付けるのもよい。内容物の製品が内蓋本体２の上部に浸出しインデックス５を読み取り難くする事を防ぐ。
【０３１８】
図１６のように印字部材３と充填製品の間を分離するシールを挟むことで、印字機のインクの質の問題や印字部材３に起因する有害物質の溶出を防ぐことはできる。但し、蓋の漏出防止方法の設計によってはこの考えを採用しにくいことがある。
【０３１９】
印字部材３の素材が紙の場合、印字媒体としての紙代は安い。
【０３２０】
印字方式はインクジェットプリンターやレーザープリンタ何れでもよいが、インクの溶出防止のためにシールが必要となりコストと工程が増える。
【０３２１】
従来の容器蓋１に比較し、リサイクル性能が低下する。
【０３２２】
印字部材３の素材が金属の場合、印字媒体としての金属代が高くなる。
【０３２３】
印字方式はインクジェットプリンターやレーザプリンターやレーザマーカ何れでもよいが、金属の腐食防止のためにシールが必要となりコストと工程が増える。
【０３２４】
従来の容器蓋１に比較し、分別種が多くなり、リサイクル性能が低下する。
【０３２５】
印字部材３の素材が合成樹脂の場合、コストは金属印字媒体よりは安い。
【０３２６】
印字機はレーザマーカがよい。
【０３２７】
印字部材３の素材を合成樹脂にし、レーザマーカで印字すれば、インクによる有害物質の溶出を防ぐことができる。
【０３２８】
印字部材３の素材を合成樹脂にし、濃い色に着色すればレーザマーカでの印字速度が高速化し印字時間が短縮され生産性が向上する。
【０３２９】
印字部材３の素材を合成樹脂のシートコイルにして、レーザマーカで印字すれば印字作業は更に高速化し効率が上がる。
【０３３０】
印字部材３の素材を合成樹脂にすることによって、その素材の弾性を利用して落下防止性能を向上させることができる。
【０３３１】
印字部材３の素材を合成樹脂にし、濃い色に着色すれば容器蓋１の外からは内容物は見ることができない。
【０３３２】
印字部材３が容器口に乗る場合について。
【０３３３】
図１６は蓋の印字部材３が容器口に乗る場合の基本的断面図である。
【０３３４】
図１６について、シールを容器口に貼るのもよい。その後に蓋をすれば、内容物の製品が内蓋の上部に浸出しインデックス５及び二次元コード７を読み取り難くする事を防ぐ。
【０３３５】
印字部材脱落防止機構９や排液機構１０を無くす事もできる。
【０３３６】
印字部材３の素材は紙、合成樹脂、金属、何れでもよい。
【０３３７】
図１５について、既存の容器蓋１と容器本体の口との防水構造の中に印字部材３や印字部材脱落防止機構９や排液機構１０や内蓋本体２などを組み込む事になるので、従来の構造の設計仕様や方法を踏襲できないため設計変更が多くなり、開発費の負担が多くなる。
【０３３８】
印字部Ｂと印字部Ａを容器蓋１の内外に直接印字する場合について。
【０３３９】
二次元コード７とインデックス５を同一部材（蓋の内外）の異なる面上に、１組性を保証して印字することは手間とコストがかかる。
【０３４０】
容器蓋製造機にあっては、インデックス５と二次元コード７の不可分な１組性が保証できる印字機能を持つものは新規に開発しなければ、ない。
【０３４１】
更に、容器蓋１が成形されてからしか印字できないので、完成品の容器蓋１の生産性は低い。
【０３４２】
印字部材３の色と印字機材について。
【０３４３】
印字部材３は着色しても着色剤などが溶出しないプラスティックを使用し、製品に有害物質が溶け出さにようにしなければならない。
【０３４４】
印字部材３は黒色又は濃い色の合成樹脂素材であって、レーザマーカで印字される。
【０３４５】
印字部材３（ポリプロピレンシートコイル）を２色２層構造とすることでレーザマーカによる印字速度を高速化することができる。
【０３４６】
印字機にレーザマーカを用いれば、レーザマーカはインクを用いないので製品に有害物質が溶け出すことは無い。
【０３４７】
印字工程について。
【０３４８】
確実に、容易に１組性を実現するために、容器蓋１と印字部材３を分離した構成とした。
【０３４９】
長尺合成樹脂シートコイル上にインデックス５と二次元コード７の印字区画を割りつける計算をする。
【０３５０】
印字区画とはインデックス５と二次元コード７とを印字する位置である。
【０３５１】
印字区画を割りつけるとは、コイル上に印をつけるのではなく、レーザマーカの照射位置を制御する位置情報をレーザマーカに入力することである。
【０３５２】
印字装置はインクなどが製品を汚染したり、読み取れないなどの恐れの無いものであれば、インクジェットプリンターやレーザプリンーでも良いが、ここではレーザマーカを使用した。
【０３５３】
サーバコンピュータ５５は、レーザマーカが印字する情報（携帯端末がアクセスするＵＲＬや情報本体４４を含む）を生成し、レーザマーカにインデックス５と二次元コード７のデータとして送信する。
【０３５４】
レーザマーカは、受信したインデックス５と二次元コード７を順次、印字区画データに従い、印字部材３の長尺合成樹脂コイル印字面上の割りつけ位置に、連続的に印字する。
【０３５５】
軟質ポリエチレンシート  ０．２ｍｍｘ９５０ｍｍｘ５００００ｍｍを用いた場合。
【０３５６】
前記シートは着色してある。色は黒色に限定しない。シートは２色２層構造とする。レーザマーカで印字した時にコントラストが大きく表現され、携帯端末が二次元コード７として認識し、読み取れれば他の色でも構わない。概して濃い色はこの目的に適う。
【０３５７】
トムソン加工とは打抜き加工のことである。
【０３５８】
図１０のトムソン加工の切り出し線１５はシート上における印字部材３の外形線である。外形線を含む印字部材３の面積は約２０ｍｍｘ４０ｍｍとする。
【０３５９】
上記の軟質ポリエチレンシートコイルで約５００００〜６００００個の印字部材３を製造することが出来る。
【０３６０】
隠蔽すべき情報等の印字場を含んだ印字部材３領域を切出す。
【０３６１】
印字済みのシートコイルをトムソン加工工程に移行させる。
【０３６２】
トムソン加工を行って、印字部材３を切り出す。
【０３６３】
印字部材３を折り曲げ加工する。
【０３６４】
トムソン加工済の印字部材３を折り曲げ線１１を外側にして折り曲げる。折り曲げ線１１の部分を熱処理して元の平板上に戻らないようにするのは良い。
【０３６５】
印字部材３を容器蓋１に装填する。
【０３６６】
折り曲げた印字部材３のインデックス５を容器蓋外側に向けて印字部材脱落防止機構９の奥まで圧挿入する。
【０３６７】
装填し終えた容器蓋１を単品管理のためにインデックス５の若い順番に揃えて、梱包する。
【０３６８】
これで二次元コード７を備えた蓋の製造が完了した。
【０３６９】
この蓋を用いて、内容物を充填し封緘すれば本発明を使用した容器が具現化した事となる。
【０３７０】
レーザマーカの印字能力の特徴について。
【０３７１】
本発明の実用化に当っては、多数の二次元コード７を高速で印字する必要がある。
【０３７２】
レーザマーカは照射した相手にエネルギーを与え、そのエネルギーでもって相手の素材が変性し、素材表面のコントラストが変化する。
【０３７３】
二次元コード７に含まれる情報量が増えるとレーザマーカの印字速度は遅くなる。
【０３７４】
塗料（合成樹脂が主原料）と金属のどちらに照射したら、読み取りやすい二次元コード７ができるか。
【０３７５】
レーザマーカの光源や出力にも拠るが、多くの場合は塗料を変性させる方が容易である。
【０３７６】
レーザマーカでも、硬いものを剥ぐより柔らかいものを剥ぐ方が容易である。
【０３７７】
塗装面を変性させる又は剥ぐことによって、塗装面にコントラストが起きる。
【０３７８】
アルミ素材表面のコントラストよりは、塗料表面のコントラストの方が、読み取りやすい。
【０３７９】
樹脂を深く剥ぐと、アルミ素材表面と樹脂とのコントラストで二次元コード７を表現することが出来るが、深く剥ぐのに照射時間が長くかかる欠点がある。
【０３８０】
多くのエネルギーを照射できるかどうかは、長時間照射するか、高出力の機械かどうかによる。
【０３８１】
レーザマーカの印字特性について。
【０３８２】
インクがのらないものへの印字は得意である。例えば、金属やガラス等への印字の場合である。
【０３８３】
更に、インクを使いたくないものへの印字も得意である。製品そのものへの印字である。
【０３８４】
更に、印字後に水をかぶるものへの印字も得意である。
【０３８５】
容器開封後溢れてくるビール、特に水分やアルコールや有機溶剤等のインクが滲みやすい環境に晒される場合は最適である。
【０３８６】
単品管理を目的とする、１品づつ異なる管理コードを飲料容器に印字する方法としては、上記が例示する条件を考慮すればレーザマーカは最適である。
【０３８７】
レーザマーカを上記の例に使用する場合、究極の印字手段となる可能性がある。
【０３８８】
それは、電気代以外の消耗品が無いからである。
【０３８９】
ラベルもインクリボンも何も使わない。
【０３９０】
故に、ランニングコストがゼロに限りなく近い。
【０３９１】
これは、製品価格の変動費分にのるコストがほぼゼロと言うことである。
【０３９２】
ガス封切り型の炭酸ガスレーザーチューブが量産されるようになりメンテナンスの手間がほぼ無くなった。
【０３９３】
固定費分（電気代やチューブ交換の際の費用）は少々必要である。
【０３９４】
レーザーチューブの寿命はあるが、設備の寿命よりも長い場合もある。
【０３９５】
レーザマーカ本体価格が安くなってきた。
【０３９６】
印字範囲が狭かったが、印字範囲が広くなってきた、３００ｍｍｘ３００ｍｍ前後の印字面積が実用化されている。
【０３９７】
レーザマーカは、二次元コード７の印字に時間がかかるのはともかく、一次元バーコード印字にも時間が掛かる。
【０３９８】
コントラストをとる為には照射時間を掛ける必要が有るからである。
【０３９９】
現状のレーザマーカは、小さな文字と二次元コード７を狭い面積に書く際には最も有効な手段である。
【０４００】
読み取り検査について。
【０４０１】
どんな方法で二次元コードを印字した場合でも、二次元コード７を読み取り機で読み取り可能か否かの全数検査を行うことは望ましい。
【０４０２】
レーザマーカが印字している間に、並行して読み取り検査を行うので、この間印字素材６０は静止しているので時間のロスは無い。
【０４０３】
二次元コード７の特徴について。
【０４０４】
レーザマーカで二次元コード７を高速で印字する場合に何が課題か。
１）二次元コード７のサイズを小さくすることが望ましい。
２）同一サイズならば、二次元コード７の印字密度を上げないことが望ましい。
【０４０５】
１）表示サイズが同一ならば、多数の情報をエンコードすれば印字密度（レーザマーカが照射する点）は高密度となる。つまり密度が高くなり、読み取りエラーが起き易くなる。
２）エラーをカバーする機能として、エラー補正率を加味した二次元コード７の作成方法がある。
３）エラー補正率を上げると、エンコードされる情報の冗長度が上がり、情報量が増える。
４）情報量が増加すると同一サイズの二次元コード７では印字密度が上がり携帯端末の読み取り率が低下する。
５）エラー補正率を上げず、情報量を増やさないためには、エンコードする情報量を少なくする必要がある。しかし、それは、二次元コード７を開発した目的（沢山の情報量を１つの二次元コード７に盛り込むことが出来る）と相反する。
６）利用済の情報「二次元コード７」から、未利用の「二次元コード７」を推測されてはならないので、二次元コード７にエンコードされる二次元コード７を暗号化する必要がある。但し、暗号化することによってエンコードされる情報量は更に増加する。
【０４０６】
二次元コード７の４種の印字パターンについて。
【０４０７】
二次元コード７の記号の外側にあって、二次元コード７記号全体を他の背景部分と区分する、四周を取り巻く連続した帯状の白地（実際はレーザで変性させた部分を指す）について。
【０４０８】
二次元コード７の四周辺を、明確にその二次元コード７部分とその他の背景部分と区分する帯状の白地（以後区画帯と呼ぶ）を設けると携帯端末の読み取り率は向上するが、しかし、レーザマーカの印字速度が極端に遅くなる。詳細は後記する。
【０４０９】
帯状の白地（以後区画帯と呼ぶ）があるものを、帯あり印字の二次元コード７とする。以後、「帯付二次元コード７」と呼ぶ。
【０４１０】
区画帯が無いものを、帯なし印字の二次元コード７とする。以後、「帯無二次元コード７」と呼ぶ。
【０４１１】
二次元コード７のシンボル記号（周辺に３つある）の中心部の４角い区画が「黒」と「白」の２種がある。
【０４１２】
シンボル記号の中心部の４角い区画が「黒い二次元コード７」を、以後「黒二次元コード７」と呼ぶ。
【０４１３】
シンボル記号の中心部の４角い区画が「白い二次元コード７」を、以後、「白二次元コード７と呼ぶ」と呼ぶ  。
【０４１４】
「帯」の「有る無し」や「白黒」の「有る無し」は、読み取る携帯端末に、読み取れるか、読み取れないか、という違いを生じさせる。
【０４１５】
通常の携帯端末では、「黒い二次元コード７」を読み取るように設計されている。
【０４１６】
更に、区画帯の「有る」「無し」に関係無く読み取れるように設計されている。
【０４１７】
しかし、区画帯を印字するための「作業量」はレーザマーカの印字能力に取っては非常に大きな負荷となる。
【０４１８】
区画帯がレーザマーカ印字能力への負荷となる実例について。
【０４１９】
「帯あり二次元コード７」９．５ＭＭＸ９．５ＭＭ角を構成するレーザマーカが照射する点（セル）数は４４Ｘ４４＝１９３６である。
【０４２０】
メーカ別、機種別で多少は異なるが、実験に使用した二次元コードは前記の数値である。
【０４２１】
本来の二次元コード７を構成する部分のセル数は１２９６である。
【０４２２】
平均して５０％のセルに照射して、二次元コード７を表現していると仮定すれば、照射セル数は１２９６／２＝６４８である。
【０４２３】
帯付二次元コード７の区画帯を構成するセル数は６４０である。
【０４２４】
帯を作ると、作らないとでは照射するセル数（仕事量）が２倍違ってくる。
【０４２５】
これは、レーザマーカの仕事量が、区画帯があることで、２倍に増える事を意味する。
【０４２６】
二次元コード７全面に照射すれば、二次元コード７は真っ白となり、二次元コード７として機能しない。
【０４２７】
二次元コード７全面に照射しなければ、二次元コード７は真っ黒となり、二次元コード７として機能しない。
【０４２８】
区画帯をレーザマーカで描くと、ストレートに印字速度が２倍違う事を示す例証である。
【０４２９】
携帯端末の特徴について。
【０４３０】
二次元コード７の認識率の高い携帯端末に求められる条件は何か。
【０４３１】
読み取る二次元コード７を適切な画像サイズで認識できなければならない。
【０４３２】
その為に焦点合わせの選択を「遠」「近」２様か、又は自動焦点合わせ機能つきである必要がある。
【０４３３】
適切な画像の分解能が必要である。
【０４３４】
画像認識プログラムが有能でなければならない。
【０４３５】
レーザマーカと二次元コード７と携帯端末の相互関係について。
【０４３６】
レーザマーカで二次元コード７を描く、携帯端末で読み取るとはどのようなことか。
【０４３７】
二次元コード７を多数の点の集合体と見做し、レーザ光を用いて、印字する対象物に二次元コード７の原理に従って、多数の点（セルの集合として面積となる）の変性を起させて、印字する対象物表面にコントラストのある画像として作成し、携帯端末の画像処理機能の一つである二次元コード７解析プログラム（１次元と二次元のバーコードがある）によって、二次元コード７として認識させ、二次元コード７にエンコードされている情報を、携帯端末はデコードし、携帯端末に求められた情報処理を行わせるということである。
【０４３８】
レーザマーカと二次元コード７と携帯端末の間に起こる読み取り性能の良し悪しに関連する要素の相互関係は、各々が持つ要素がトレードオフ（あちらを立てればこちらが立たず、こちらを立てれば身が立たず）の関係になっている。
【０４３９】
二次元コード７の印字テストについて。
【０４４０】
アルミ素材にレーザマーカを使用して二次元コード７を印字し、印字速度と携帯端末での読み取り可能性と、読み取りやすい二次元コード７が備えるべき条件についての調査と実験を行った。
【０４４１】
アルミ板を印字媒体とした。
【０４４２】
金属より短時間で変性させやすい塗料（合成樹脂の代用と考えた）を、アルミ素材６０に塗布し、乾燥を待ってレーザマーカで塗装表面上に二次元コード７を印字した。
【０４４３】
ここで、アルミ素材６０に塗布した塗料を剥ぐ深さを調整することが出来る。
【０４４４】
照射する単位時間当たりのエネルギー量で照射された相手の物質は変性（素材の変質や色の変化）の程度が異なる。
【０４４５】
第一次印字テストは、アルミ素材６０に直接照射した場合に相当する。
【０４４６】
第二次印字テストは、アルミ素材６０の上に黒色塗料６１を塗り、乾燥させ印字実験をした事に相当する。
【０４４７】
第三次印字テストで、アルミ素材６０の上に黒色塗料６１を塗り、更に白色塗料６２を塗って実験をした事に相当する。
【０４４８】
図２０の符号６０はアルミ素材、符号６１は黒色塗料である。
図２１の符号６０はアルミ素材、符号６１は黒色塗料、符号６２は白色塗料である。
【０４４９】
第二次印字テストは、塗装の厚さを調整し、黒色塗料６１を剥ぐ。レーザ光が一部アルミ素材６０を剥ぐ。アルミ素材６０が白色ならば、アルミ素材６０を白色に発色させて二次元コード７を描くよりも、黒色塗料を剥いで二次元コード７を描く方が早く印字できるはずである。
【０４５０】
第三次印字テストは、塗装の厚さを計算し、レーザを照射し白色塗料６２を剥ぐ。一部黒色塗料６１に食い込む。白色塗料６２を剥ぐ方が早く二次元コード７の印字ができるはずである。
【０４５１】
白色塗装層を剥ぐ方が早く印字できる予定だったが、しかし結果は目論見のようにはならず、アルミ素材６０の上に黒色塗料６１を塗った場合のほうが早かった。原因の解明は別途探求する。
【０４５２】
第一次印字テストについて。
【０４５３】
印字条件は、無塗装生地のアルミ素材（以後白生地と呼ぶ）と金色塗装のアルミ素材（以後金生地と呼ぶ）の２種である。
【０４５４】
印字区画をＡ、Ｂ，Ｃの３ヶ所に区分した。
【０４５５】
印字サイズを１４Ｘ１４ＭＭ（Ｂ−１４と呼ぶ）、１２Ｘ１２ＭＭ（Ｂ−１２と呼ぶ）、１０Ｘ１０ＭＭ（Ｂ−１０と呼ぶ）の３つに区分した。
【０４５６】
エンコードされるデータ量は、１３０桁と１７０桁を準備した。
【０４５７】
携帯端末は一般的に使用されている携帯端末を２機種使用した。
【０４５８】
印字区画と印字サイズとデータ量を組み合わせて、二次元コード７を印字し、読み取り検査を行った。
【０４５９】
第一次印字テストは、帯付二次元コード７、帯無二次元コード７、黒二次元コード７、白二次元コード７に付いてどれで実験するかは指示をせず、メーカの標準仕様で、印字を依頼した。
【０４６０】
実験の結果知りたい情報は「携帯端末で読み取れる、１個の二次元コード７を印字するに必要な時間」であった。
【０４６１】
表１は第１次印字テストの結果である。
【０４６２】
【表１】
2011184080.tif 000003
【０４６３】
表１の見かた。縦軸に印字条件別印字番号。横軸に印字仕様などを区分した。
【０４６４】
印字番号１〜６は専用の読み取り端末による読み取り対象。
【０４６５】
印字番号Ａ〜Ｆは携帯端末での読み取り対象。
【０４６６】
１、２、３、Ａ、Ｂは情報１３０桁。
【０４６７】
４、５、６、Ｃ、Ｄ、Ｅは情報量１７０桁。
【０４６８】
表示サイズ（ブロックサイズ）は、１、４、Ａ〜Ｄは９Ｘ９ＭＭ。２、５は１２Ｘ１２ＭＭ。３、６は１４ｘ１４ｍｍ。Ｅは７Ｘ７ＭＭ。
【０４６９】
その結果、以下のような事が判明した。
【０４７０】
無塗装生地のアルミ素材（以後白生地と呼ぶ）に印字したものは、実験室の二次元コード
７読み取り専用機器では読み取れたが、携帯端末（以後携帯電話と同じ意味で使う）では
読み取れなかった。
【０４７１】
金色生地に印字したものは、実験室の二次元コード７読み取り専用機器でも読取れなかった。
【０４７２】
帯無二次元コード７はアルミ素材の反射光の影響で、携帯端末では読み取れないのが多かった。
【０４７３】
実験室の標準仕様の印字「白二次元コード７」は、携帯で読み取れなかった。
【０４７４】
印字時間が短く出来る理由は、以下であることがわかった。
【０４７５】
アルミ素材金属を白く発色するまで変性させるには、レーザ光で長時間、多くのエネルギ
ー照射が必要である。
【０４７６】
金属を変性させるよりも塗装を変性させる方が変性に必要なエネルギーが少なくて済み照
射時間が短くて済んだ。
【０４７７】
場合に拠れば（塗装の厚みなどに拠れば）薄い塗装が大量のエネルギー照射により、変性
以上に、消失してしまい、地肌のアルミ素材が現出し、白色の役目を果たし、結果的に読
める二次元コード７となる。
【０４７８】
その場合、より早い印字時間が実現することもある。解明には多くの実験が必要と考えら
れる。
【０４７９】
印字された二次元コード７が、大きすぎても、小さすぎても、携帯端末の読み取り性能（
焦点の遠近合わせの能力の切り替えが、有る、無しなどで）によっては読み取れなかった
。
【０４８０】
印字された二次元コード７のデータ量が、多すぎると携帯端末の読み取り性能によっては
読み取れなかった。印字密度が高くなるからである。
【０４８１】
読み取り性能は機種依存性が大きいことがわかった。
【０４８２】
第１次実験の結論は、印字速度が１秒前後の９．５ＭＭ角の二次元コード７は、印字速度
は速いが、携帯端末で読めなかった。
【０４８３】
読める１〜５は、１個の印字速度が２０〜４７秒と遅く、実用的でないと判った。
【０４８４】
印字速度が１秒以下で、読み取れるものはデータ量が１３０桁と少ない方がよい傾向がある。
【０４８５】
Ｃは印字場所が凹凸の多い場所に印字した場合は読めない傾向があることがわかった。
【０４８６】
第二次印字テストについて。
【０４８７】
テストは、二次元コードの表示サイズ、エンコードされている情報量（数字換算で００桁）、
印字機のレーザの照射方式などを換えて、携帯端末で読み取れる二次元コードの印字条件や印字速度を調べた。
【０４８８】
第一次テストの結果から、アルミ素材６０を変性させて白く発色させるよりは、黒色塗装
６１の塗装面を変性させて、発色させる方が、読み取れる二次元コード７の作成時間が短
いと想定し、関連する実験をした。
【０４８９】
印字対象は、黒塗装のアルミ素材（以後黒生地と呼ぶ）を準備した。
【０４９０】
１番知りたい情報は、「携帯端末で読み取れて、且つ、印字速度の速い条件は何か。レー
ザ光源の違いによって、違いがあるか」であった。
【０４９１】
表２は第２次印字テストの結果である。
【０４９２】
【表２】
2011184080.tif 000004
【０４９３】
表２の見かた。
【０４９４】
印字番号１〜１０はレーザ光ＹＶＯ４方式で印字。１１〜２０はレーザ光ＣＯ２方式で印字。
【０４９５】
読み取り端末は携帯端末のみ使った。
【０４９６】
１〜５、１０〜１５は情報１００桁。
【０４９７】
６〜１０、１６〜２０は情報量１３０桁。
【０４９８】
表示サイズ（ブロックサイズ）は、１、６、１１、１６は８Ｘ８ＭＭ。２、７、１２、１７は９Ｘ９ＭＭ。３、８、１３、１８は１０Ｘ１０ＭＭ。４，９、１４、１９は１０Ｘ１０ＭＭ。５、１０、１５、２０は１２Ｘ１２ＭＭ。とした。
【０４９９】
印字素材はアルミ生地に黒色塗装１色。
【０５００】
印字媒体の条件（凹凸無しの平板）。
【０５０１】
エンコードされるデータ量は、１００桁と１３０桁を準備した。
【０５０２】
印字機のレーザマーカをＹＶＯ４方式と、ＣＯ２方式の２種を準備した。
【０５０３】
結論は、ＣＯ２レーザは金属の印字に使用するのは不適とわかった。
【０５０４】
黒塗装のアルミ素材に、帯状の白地（以後区画帯と呼ぶ）があり、データ量が少ないもの
が、印字速度がほぼ１個１秒と速く、読み取り率もよい、と判明してきた。
【０５０５】
第三次印字テストについて。
【０５０６】
テストは、二次元コードの表示サイズ、エンコードされている情報量を換え、読み取れる二次元コードの印字速度を調べた。
【０５０７】
表３は第３次印字テストの結果である。
【０５０８】
【表３】
2011184080.tif 000005
【０５０９】
表３の見かた。
【０５１０】
印字番号１〜５はエンコードされるデータ量は８０桁。Ａ〜Ｅは６０桁。
【０５１１】
読み取り端末は携帯端末のみ。
【０５１２】
表示サイズ（ブロックサイズ）は１、Ａは６Ｘ６ＭＭ。２、Ｂは７Ｘ７ＭＭ。３、Ｃ８Ｘ８ＭＭ。４、Ｄは９Ｘ９ＭＭ。５、Ｅは１０Ｘ１０ＭＭに区分した。
【０５１３】
印字素材は黒塗装生地のアルミ素材平板で行った。
【０５１４】
印字機はＹＶＯ４レーザマーカを使用した。
【０５１５】
知りたい情報は、「携帯端末で読み取れて、且つ、印字速度の速い条件は何か」である。
【０５１６】
結論は、ＹＶＯ４レーザマーカを使用し、黒塗装生地のアルミ素材に、帯状の白地（以後
区画帯と呼ぶ）があり、データ量が少ないものが、印字速度が速くほぼ１個につき約０．
６秒平均で印字され、携帯端末での読み取り率もよく、実用的である、と結論付けること
が出来た。
【０５１７】
推奨できる二次元コード７の大きさについて。
【０５１８】
二次元コード７の印字サイズは６〜１０ｍｍ角でよい。
【０５１９】
６〜１０ｍｍ角の二次元コード７を印字した場合印字速度が速く、マーカの生産性が一番
高い。
【０５２０】
６〜１０ｍｍ角で印字するのが印字するコストとしては一番安い。
【０５２１】
印字部材３は直径１８ｍｍ前後あり、本発明の印字場Ｂ６を十分収納する領域が確保でき
る。
【０５２２】
二次元コードサイズが６〜１０ｍｍ角なら平滑な歪のない平面スペースを確保できる。
【産業上の利用可能性】
【０５２３】
隠蔽構造が図１にあるような構造であったとする。「容器を開封せずに二次元コード７を読取ってアンケートに回答する」ことは不可能である。製品を試した時刻とアンケートに回答した際の時刻との差を従来より小さく、且つ明確にすることが可能であり、確実に飲んだ時刻以後の商品の評価情報が得られる。従って、このことは次の新製品開発やの販売促進企画にあたって、従来メーカが収集できなかった、確実に容器を開封し内容物を消費してからの消費者の反応や評価情報を収集するアンケートシステムに利用できる容器が実現した。これは新商品開発に極めて効果的な技術となった。
【符号の説明】
【０５２４】
１・・・・・・容器蓋
２・・・・・・内蓋本体
３・・・・・・印字部材
４・・・・・・印字場Ａ
５・・・・・・インデックス
６・・・・・・印字場Ｂ
７・・・・・・二次元コード
８・・・・・・容器本体
９・・・・・・印字部材脱落防止機構
１０・・・・・排液機構
１１・・・・・折り曲げ線
１２・・・・・タンパーエビデンス機構
１４・・・・・挿入ガイド
１５・・・・・切り出し線
２０・・・・・携帯端末
２０Ａ・・・・携帯端末識別番号
２１・・・・・可動部材
２２・・・・・封緘部材
２３・・・・・固定部材
４４・・・・・情報本体
５５・・・・・サーバコンピュータ
５６・・・・・管理データベース
５７・・・・・生産管理コンピュータ
５８・・・・・製造データベース
６０・・・・・アルミ素材
６１・・・・・黒色塗料
６２・・・・・白色塗料
６６・・・・・インターネット
７７・・・・・使用者
８０・・・・・物品
８１・・・・・商品
Φ１・・・・・印字部材３の直外径
Φ２・・・・・印字部材脱落防止機構９の直内径
Φ３・・・・・挿入ガイドの外径
Ｓ２００１〜Ｓ２００７・・携帯端末２０に内蔵の端末プログラムによって実行されるステップ
Ｓ３００１〜Ｓ３００４・・サーバコンピュータ５５に内蔵のサーバプログラムによって実行されるステップ
Ｓ３１０１〜Ｓ３１０９・・サーバコンピュータ５５に内蔵のサーバプログラムによって実行されるステップ
Ｓ５００１・・・・・・・・生産管理コンピュータ５７に内蔵の生産管理プログラムによって実行されるステップ
Ｓ５０１１〜Ｓ５０１３・・生産管理コンピュータ５７に内蔵の生産管理プログラムによって実行されるステップ
１０１〜１０８・・・・・・管理データベース５６中の各々のデータテーブルを示す。
２１０〜２６０・・・・・・携帯端末２０の構成を示すブロック図を示す。
【図１】
2011184080.tif 000006
【図２】
2011184080.tif 000007
【図３】
2011184080.tif 000008
【図４】
2011184080.tif 000009
【図５】
2011184080.tif 000010
【図９】
2011184080.tif 000011
【図１０】
2011184080.tif 000012
【図１１】
2011184080.tif 000013
【図１２】
2011184080.tif 000014
【図１３】
2011184080.tif 000015
【図１４】
2011184080.tif 000016
【図１５】
2011184080.tif 000017
【図１６】
2011184080.tif 000018
【図１７】
2011184080.tif 000019
【図１８】
2011184080.tif 000020
【図１９】
2011184080.tif 000021
【図２０】
2011184080.tif 000022
【図２１】
2011184080.tif 000023
【図２２】
2011184080.tif 000024
【図２３】
2011184080.tif 000025
【図２４】
2011184080.tif 000026
【図２５】
2011184080.tif 000027
【図２６】
2011184080.tif 000028
【図６】
2011184080.tif 000029
【図７】
2011184080.tif 000030
【図８】
2011184080.tif 000031
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
物品を収納する容器の容器蓋１の一部を被覆し、その被覆を剥がしたとき改変や開封した証拠を残すタンパーエビデンス機構１２と、
タンパーエビデンス機構が前記容器蓋１の一部を被覆している時は開示されず、前記タンパーエビデンス機構による被覆が剥がされた時は部分的に不可視な部分が開示される二次元コード７と、
前記二次元コード７を読取る手段を備えたコンピュータ端末であってサーバコンピュータ５５と相互通信を行いアンケート設問の受信と回答の入力と回答の送信とを行う端末プログラムを備えた携帯端末２０と、
該携帯端末２０とネットワークを介して接続されているコンピュータであってアンケート設問を生成し前記携帯端末２０に送信するとともにアンケート回答を受信するサーバプログラムを備えたサーバコンピュータ５５と、
からなる単品管理システムであって、
前記サーバコンピュータ５５は前記サーバプログラムにより、
前記携帯端末２０からアンケート回答を受信した時刻を取得する手段と、
前記時刻と前記アンケート回答とを関連付けてデータベースに記録する手段と、
を備え、
前記二次元コード７は、
前記タンパーエビデンス機構が前記容器蓋１の一部を被覆している時は開示されず、前記タンパーエビデンス機構による被覆が剥がされた時は部分的に不可視な部分が開示され、
二次元コード７の全体像が露出し読取り可能となることにより、
商品やその消費時刻の管理等を単品ごとに行う
ことを特徴とする単品管理システム。
【請求項２】
物品を収納する容器にあって、容器蓋１の一部を被覆し、その被覆を剥がしたとき改変や開封した証拠を残すタンパーエビデンス機構１２と、
タンパーエビデンス機構が前記容器蓋１の一部を被覆している時は開示されず、前記タンパーエビデンス機構による被覆が剥がされた時は部分的に不可視な部分が開示される二次元コード７と、
インデックス５は前記タンパーエビデンス機構１２によって被覆されておらず、常時開示され、
前記インデックス５は二次元コード７にエンコードされている情報を解読するキー情報を含み、
特定の携帯端末を一意に識別する識別番号を事前にサーバコンピュータ５５に登録しておいた携帯端末２０は、該携帯端末２０でサーバコンピュータ５５にアクセスして後に前記インデックス５を入力すれば、前記インデックス５を情報の一部にしている前記二次元コード７にエンコードされている情報を参照したり、サーバコンピュータ５５に蓄積されている一部又全部の情報を参照できるインデックス５と、
前記二次元コード７を読取る手段を備えたコンピュータ端末であってサーバコンピュータ５５と相互通信を行いアンケート設問の受信と回答の入力と回答の送信とを行う端末プログラムを備えた携帯端末２０と、
該携帯端末２０とネットワークを介して接続されているコンピュータであってアンケート設問を生成し前記携帯端末２０に送信するとともにアンケート回答を受信するサーバプログラムを備えたサーバコンピュータ５５と、
からなる単品管理システムであって、
前記サーバコンピュータ５５は前記サーバプログラムにより、
前記携帯端末２０からアンケート回答を受信した時刻を取得する手段と、
前記時刻と前記アンケート回答とを関連付けてデータベースに記録する手段と、
を備え、
前記インデックス５は、
常時開示され、
インデックス５の二次元コード７にエンコードされている情報を解読するキー情報を使用して、
二次元コード７にエンコードされている情報を参照したり、サーバコンピュータ５５に蓄積されている一部又全部の情報を参照することにより、
前記二次元コード７は、
前記タンパーエビデンス機構が前記容器蓋１の一部を被覆している時は開示されず、前記タンパーエビデンス機構による被覆が剥がされた時は部分的に不可視な部分が開示され、
二次元コード７の全体像が露出し読取り可能となることにより、
商品やその消費時刻の管理等を単品ごとに行う
ことを特徴とする単品管理システム。
【請求項３】
物品を収納する容器の容器蓋にあって、
透明な容器蓋１と、
該容器蓋１の一部を被覆し、その被覆を剥がしたとき改変や開封した証拠を残すタンパーエビデンス機構１２と、
情報本体４４は、1組の二次元コード７とインデックス５からなり、
前記印字部材３の表側同一平面上には、１組の二次元コード７とインデックス５とからなる情報本体４４が印字され、
前記情報本体４４が印字された前記印字部材３は折り曲げ線１１に沿って前記インデックス５を透明な容器蓋側に、前記二次元コード７を容器天面側になるように折り曲げて折畳んで、前記容器蓋１の内側に装填され、
タンパーエビデンス機構が前記容器蓋１の一部を被覆している時は開示されず、前記タンパーエビデンス機構による被覆が剥がされた時は不可視な部分が開示される二次元コード７と、
インデックス５は前記タンパーエビデンス機構１２によって被覆されておらず、常時開示され、
前記インデックス５は二次元コード７にエンコードされている情報を解読するキー情報を含み、
携帯端末を一意に識別する識別番号を事前にサーバコンピュータ５５に登録しておいた携帯端末２０は、該携帯端末２０でサーバコンピュータ５５にアクセスして後に前記インデックス５を入力すれば、前記インデックス５を情報の一部にしている前記二次元コード７にエンコードされている情報を参照したり、サーバコンピュータ５５に蓄積されている一部又全部の情報を参照できるインデックス５と、
前記二次元コード７を読取る手段を備えたコンピュータ端末であってサーバコンピュータ５５と相互通信を行いアンケート設問の受信と回答の入力と回答の送信とを行う端末プログラムを備えた携帯端末２０と、
該携帯端末２０とネットワークを介して接続されているコンピュータであってアンケート設問を生成し前記携帯端末２０に送信するとともにアンケート回答を受信するサーバプログラムを備えたサーバコンピュータ５５と、
からなる単品管理システムであって、
前記サーバコンピュータ５５は前記サーバプログラムにより、
前記携帯端末２０からアンケート回答を受信した時刻を取得する手段と、
前記時刻と前記アンケート回答とを関連付けてデータベースに記録する手段と、
を備え、
前記インデックス５は、常時開示され、
二次元コード７にエンコードされている情報を解読するキー情報を用いて、
二次元コード７にエンコードされている情報を参照したり、サーバコンピュータ５５に蓄積されている一部又全部の情報を参照することにより、
前記二次元コード７は、
前記タンパーエビデンス機構が前記容器蓋１の一部を被覆している時は開示されず、前記タンパーエビデンス機構による被覆が剥がされた時は部分的に不可視な部分が開示され、
二次元コード７の全体像が露出し読取り可能となることにより、
商品やその消費時刻の管理等を単品ごとに行う
ことを特徴とする単品管理システム。
【手続補正２】
【補正対象書類名】明細書
【補正対象項目名】０１７８
【補正方法】変更
【補正の内容】
【０１７８】
サーバコンピュータ５５は、インターネット６６を介して携帯端末２０及び生産管理コンピュータ５７と相互に接続されているとともに、管理データベース５６と接続されておりそのデータ読出及び更新を行うコンピュータである。サーバコンピュータ５５はサーバプログラムを備え、携帯端末２０からのアンケート送信要求を受けた際にアンケートを携帯端末２０に配信するとともに、携帯端末２０から受信するアンケート回答の結果とその時刻とを記録・統計する手段を有する。記録・統計の際のデータの格納場所として管理データベース５６が利用される。
【手続補正３】
【補正対象書類名】明細書
【補正対象項目名】０１７９
【補正方法】変更
【補正の内容】
【０１７９】
生産管理コンピュータ５７は、インターネット６６を介してサーバコンピュータ５５と相互に接続されているとともに、製造データベース５８と接続されておりそのデータ読出及び更新を行うコンピュータである。更には、物品８０が商品として出荷される際の情報を製造データベース５８の記録を用いて管理するコンピュータである。生産管理コンピュータ５７は生産管理プログラムを備え、物品８０の製造の際に、物品８０と二次元コード７とを関連付けて製造データベース５８に記録する手段を有する。